(57)【特許請求の範囲】
【請求項１】
陳列棚であって、
陳列棚本体部（１０）と、内側構成部（３００）とを有し、
陳列棚本体部と内側構成部がそれぞれシート状のブランクにより形成され、
陳列棚本体部が、
背面部（１１０）と、右側面部（１２０）と、左側面部（２１０）と、右側面部と左側面部間に設けられた複数の正面部（２３２ａ、２３２ｂ、２３２ｃ）とを有し、
複数の正面部における上下方向に隣り合う正面部は上下方向に間隔を介して設けられ、
各正面部の上辺からは棚構成部（２３４ａ、２３４ｂ、２３４ｃ）が設けられ、
棚構成部は、正面部の上辺から第１折れ線（Ｃ５０ａ、Ｃ５０ｂ、Ｃ５０ｃ）を介して連設された棚本体部（２３６ａ、２３６ｂ、２３６ｃ）と、棚本体部の正面部とは反対側の辺部から第２折れ線（Ｃ６０ａ、Ｃ６０ｂ、Ｃ６０ｃ）を介して連設されたフラップ（２４２ａ、２４２ｂ、２４２ｃ）とを有し、
棚本体部のフラップ側である先端側の端部には、第２折れ線よりも先端側に突出する突状部対が左右両側に設けられ、左側面側の突状部対（２３７ａ−１、２３７ｂ−１、２３７ｃ−１）を構成する第１突状部（２３８ａ−１、２３８ｂ−１、２３８ｃ−１）と第２突状部（２３８ａ−２、２３８ｂ−２、２３８ｃ−２）の間には第１間隙部（２４０ａ−１、２４０ｂ−１、２４０ｃ−１）が設けられ、右側面側の突状部対（２３７ａ−２、２３７ｂ−２、２３７ｃ−２）を構成する第３突状部（２３８ａ−３、２３８ｂ−３、２３８ｃ−３）と第４突状部（２３８ａ−４、２３８ｂ−４、２３８ｃ−４）の間には第２間隙部（２４０ａ−２、２４０ｂ−２、２４０ｃ−２）が設けられ、
内側構成部が、
正面部の内側の面に接着された正面側糊代部（３５０ａ、３５０ｂ、３５０ｃ）と、
各正面側糊代部の左側面側の辺部から折れ線を介して連設された第１支持体で、各正面側糊代部の左側面側の辺部から折れ線を介して連設された第１棚受け部（３１４ａ、３１４ｂ、３１４ｃ）と、各第１棚受け部の正面側糊代部と反対側から連設された第１棚受け支持部（３１２）とを有する第１支持体（３１０）と、
各正面側糊代部の右側面側の辺部から折れ線を介して連設された第２支持体で、各正面側糊代部の右側面側の辺部から折れ線を介して連設された第２棚受け部（３３４ａ、３３４ｂ、３３４ｃ）と、各第２棚受け部の正面側糊代部と反対側から連設された第２棚受け支持部（３３２）とを有する第２支持体（３３０）と、
第１棚受け支持部の第１棚受け部と反対側の辺部から折れ線を介して連設され、背面部の内側の面に接着された第１背面側糊代部（３２０）と、
第２棚受け支持部の第２棚受け部と反対側の辺部から折れ線を介して連設され、背面部の内側の面に接着された第２背面側糊代部（３４０）と、を有し、
陳列棚を組み立てる際には、正面部と右側面部と左側面部と背面部における隣り合う各部が略直角をなすように陳列棚本体部を組み立て、陳列棚本体部を組み立てた状態では、第１支持体と第２支持体のそれぞれが、正面部と背面部の間に前後方向に設けられ、第１支持体と第２支持体とが左右方向に間隔を介して互いに略平行に設けられ、陳列棚本体部が組み立てられた状態で、棚構成部を第１折れ線を介して正面部に対して内側に回動させることにより、第１棚受け支持部における第１棚受け部の上辺（３１４ａ−１、３１４ｂ−１、３１４ｃ−１）から連設された辺部である第１連設辺部（３１２ｄ、３１２ｆ、３１２ｈ）が第１間隙部に挿入するとともに、第２棚受け支持部における第２棚受け部の上辺（３３４ａ−１、３３４ｂ−１、３３４ｃ−１）から連設された辺部である第２連設辺部（３３２ｄ、３３２ｆ、３３２ｈ）が第２間隙部に挿入して棚構成部が組み立てられ、棚構成部が組み立てられた状態では、第１棚受け部の上辺と第２棚受け部の上辺とが棚本体部に沿った状態で、棚本体部が、第１棚受け部の上辺と第２棚受け部の上辺に接し、フラップが、第１棚受け支持部における第１連設辺部と第２棚受け支持部における第２連設辺部とに接することを特徴とする陳列棚。
【請求項２】
陳列棚であって、
陳列棚本体部（１０）と、第１内側構成部（３００−１）と、第２内側構成部（３００−２）とを有し、
陳列棚本体部と第１内側構成部と第２内側構成部とがそれぞれシート状のブランクにより形成され、
陳列棚本体部が、
背面部（１１０）と、右側面部（１２０）と、左側面部（２１０）と、右側面部と左側面部間に設けられた複数の正面部（２３２ａ、２３２ｂ、２３２ｃ）とを有し、
複数の正面部における上下方向に隣り合う正面部は上下方向に間隔を介して設けられ、
各正面部の上辺からは棚構成部（２３４ａ、２３４ｂ、２３４ｃ）が設けられ、
棚構成部は、正面部の上辺から第１折れ線（Ｃ５０ａ、Ｃ５０ｂ、Ｃ５０ｃ）を介して連設された棚本体部（２３６ａ、２３６ｂ、２３６ｃ）と、棚本体部の正面部とは反対側の辺部から第２折れ線（Ｃ６０ａ、Ｃ６０ｂ、Ｃ６０ｃ）を介して連設されたフラップ（２４２ａ、２４２ｂ、２４２ｃ）とを有し、
棚本体部のフラップ側である先端側の端部には、第２折れ線よりも先端側に突出する突状部対が左右両側に設けられ、左側面側の突状部対（２３７ａ−１、２３７ｂ−１、２３７ｃ−１）を構成する第１突状部（２３８ａ−１、２３８ｂ−１、２３８ｃ−１）と第２突状部（２３８ａ−２、２３８ｂ−２、２３８ｃ−２）の間には第１間隙部（２４０ａ−１、２４０ｂ−１、２４０ｃ−１）が設けられ、右側面側の突状部対（２３７ａ−２、２３７ｂ−２、２３７ｃ−２）を構成する第３突状部（２３８ａ−３、２３８ｂ−３、２３８ｃ−３）と第４突状部（２３８ａ−４、２３８ｂ−４、２３８ｃ−４）の間には第２間隙部（２４０ａ−２、２４０ｂ−２、２４０ｃ−２）が設けられ、
第１内側構成部が、
正面部の内側の面に接着された第１正面側糊代部（３５０ａ−１、３５０ｂ−１、３５０ｃ−１）と、
各第１正面側糊代部の左右いずれかの側面側の辺部から折れ線を介して連設された第１支持体で、各第１正面側糊代部の該側面側の辺部から折れ線を介して連設された第１棚受け部（３１４ａ、３１４ｂ、３１４ｃ）と、各第１棚受け部の第１正面側糊代部と反対側から連設された第１棚受け支持部（３１２）とを有する第１支持体（３１０）と、
第１棚受け支持部の第１棚受け部と反対側の辺部から折れ線を介して連設され、背面部の内側の面に接着された第１背面側糊代部（３２０）と、を有し、
第２内側構成部が、
正面部の内側の面に接着された第２正面側糊代部（３５０ａ−２、３５０ｂ−２、３５０ｃ−２）と、
各第２正面側糊代部の左右いずれかの側面側の辺部から折れ線を介して連設された第２支持体で、各第２正面側糊代部の該側面部の辺部から折れ線を介して連設された第２棚受け部（３３４ａ、３３４ｂ、３３４ｃ）と、各第２棚受け部の第２正面側糊代部と反対側から連設された第２棚受け支持部（３３２）とを有する第２支持体（３３０）と、
第２棚受け支持部の第２棚受け部と反対側の辺部から折れ線を介して連設され、背面部の内側の面に接着された第２背面側糊代部（３４０）と、を有し、
陳列棚を組み立てる際には、正面部と右側面部と左側面部と背面部における隣り合う各部が略直角をなすように陳列棚本体部を組み立て、陳列棚本体部を組み立てた状態では、第１支持体と第２支持体のそれぞれが、正面部と背面部の間に前後方向に設けられ、第１支持体と第２支持体とが左右方向に間隔を介して互いに略平行に設けられ、陳列棚本体部が組み立てられた状態で、棚構成部を第１折れ線を介して正面部に対して内側に回動させることにより、第１棚受け支持部における第１棚受け部の上辺（３１４ａ−１、３１４ｂ−１、３１４ｃ−１）から連設された辺部である第１連設辺部（３１２ｄ、３１２ｆ、３１２ｈ）が第１間隙部に挿入するとともに、第２棚受け支持部における第２棚受け部の上辺（３３４ａ−１、３３４ｂ−１、３３４ｃ−１）から連設された辺部である第２連設辺部（３３２ｄ、３３２ｆ、３３２ｈ）が第２間隙部に挿入して棚構成部が組み立てられ、棚構成部が組み立てられた状態では、第１棚受け部の上辺と第２棚受け部の上辺とが棚本体部に沿った状態で、棚本体部が、第１棚受け部の上辺と第２棚受け部の上辺に接し、フラップが第１棚受け支持部における第１連設辺部と第２棚受け支持部における第２連設辺部とに接することを特徴とする陳列棚。
【請求項３】
第１棚受け支持部の下端の上下方向の高さが陳列棚本体部の下端の上下方向の高さと一致して形成されるとともに、第２棚受け支持部の下端の上下方向の高さが陳列棚本体部の下端の上下方向の高さと一致して形成され、組み立てられた陳列棚を設置面に設置した際には、第１棚受け支持部の下端と第２棚受け支持部の下端が設置面に接することを特徴とする請求項１又は２に記載の陳列棚。
【請求項４】
第１棚受け部の上辺と第１連設辺部との間の角度は、直角以上であるとともに、第２棚受け部の上辺と第２連設辺部との間の角度は、直角以上であり、
棚構成部が組み立てられた状態では、第１連設辺部と第２連設辺部とがフラップに沿った状態で、フラップが、第１連設辺部と第２連設辺部に接していることを特徴とする請求項１又は２又は３に記載の陳列棚。
【請求項５】
第１棚受け部の上辺と第１連設辺部との間の角度は、直角であるとともに、第２棚受け部の上辺と第２連設辺部との間の角度は、直角であり、
棚構成部が組み立てられた状態では、第１連設辺部と第２連設辺部とがフラップに沿った状態で、フラップが、第１連設辺部と第２連設辺部に接していることを特徴とする請求項１又は２又は３に記載の陳列棚。
【請求項６】
第１棚受け部の上辺と第２棚受け部の上辺が、正面側から背面側に向けて斜め下方に傾斜して形成され、棚構成部が組み立てられた状態では、棚本体部は、第１棚受け部の上辺と第２棚受け部の上辺に沿って正面側から背面側に向けて斜め下方に傾斜していることを特徴とする請求項１又は２又は３又は４又は５に記載の陳列棚。
【請求項７】
第１背面側糊代部は、陳列棚の組立て状態において、第１棚受け支持部に対して左右方向における一方の側に折曲した状態となるように背面部に接着され、第２背面側糊代部は、陳列棚の組立て状態において、第２棚受け支持部に対して左右方向における該一方の側に折曲した状態となるように背面部に接着されていることを特徴とする請求項１又は２又は３又は４又は５又は６に記載の陳列棚。
【請求項８】
陳列部本体部が、第１ブランクと第２ブランクとにより構成され、第１ブランクが、右側面部と左側面部の一方である第１側面部と、第１側面部から折れ線を介して連設された該複数の正面部と、複数の正面部における各正面部から折れ線を介して連設された棚構成部とを有し、第２ブランクは、右側面部と左側面部の他方である第２側面部と、第２側面部から折れ線を介して連設された背面部とを有し、第２側面部と複数の正面部とは糊代部を介して連設され、第１側面部と背面部とは糊代部を介して連設されていることを特徴とする請求項１又は２又は３又は４又は５又は６又は７に記載の陳列棚。
【請求項９】
展開状態の棚構成部において、第２折れ線から形成された切込みで、第１突状部とフラップとを区画する切込み（Ｊ１１ａ、Ｊ２１ａ、Ｊ３１ａ）を形成することにより棚本体部の先端側に第１突状部が形成され、第２折れ線から形成された切込みで、第２突状部とフラップとを区画する切込み（Ｊ１２ａ、Ｊ２２ａ、Ｊ３２ａ）を形成することにより棚本体部の先端側に第２突状部が形成され、第２折れ線から形成された切込みで、第３突状部とフラップとを区画する切込み（Ｊ１１ｂ、Ｊ２１ｂ、Ｊ３１ｂ）を形成することにより棚本体部の先端側に第３突状部が形成され、第２折れ線から形成された切込みで、第４突状部とフラップとを区画する切込み（Ｊ１２ｂ、Ｊ２２ｂ、Ｊ３２ｂ）を形成することにより棚本体部の先端側に第４突状部が形成されていることを特徴とする請求項１又は２又は３又は４又は５又は６又は７又は８に記載の陳列棚。
【発明の詳細な説明】
【技術分野】
【０００１】
従来より、組み立て式で紙材製の陳列棚が存在する。この陳列棚は、金属、木材等の非紙材製のものに比べ軽量で、折り畳むことにより、嵩張らないことから、展示場、販売店等への搬送が容易であり、商品の陳列用として利用されている。また、紙材製であることから、棚部の剛性の向上が、様々な手法により、図られている。
【０００２】
例えば、特許文献１に記載の商品陳列台においては、正面板１ａ、１ｂと左側面板２と右側面板３と背面板４とで角筒状の胴体部が構成され、正面板１ａ、１ｂの上端から折れ線を介して折返し板６ａ、６ｂが連設され、この折返し板６ａ、６ｂの先端から折れ線を介して床面板７ａ、７ｂが連設され、折返し板６ａ、６ｂ及び床面板７ａ、７ｂが上記角筒状の胴体部の内方に折込まれ、左側面板２と右側面板３の間には、並列した支持板１１ａ、１１ｂが正面板１ａ、１ｂと平行に設けられており、床面板７ａ、７ｂが支持板１１ａ、１１ｂにより支持されている。
【０００３】
また、特許文献２に記載の吊下式陳列棚においては、前面板２の下縁から折れ線を介して二重底壁１７が連設されているとともに、二重底壁が前面板２に対して上記折れ線を介して後方に折り曲げられており、二重底壁１７の後部には、その後端から前方に向けて切り込まれたスリット１２が形成され、両側面板３の間には、後面板４から連設された仕切板５が、両側面板３に略平行に配設され、仕切板５の前部には、その前端から後方に向けて切り込まれたスリット１１が形成され、仕切板５のスリット後方部分が二重底壁１７のスリット１２に差し込まれているとともに、二重底壁１７のスリット前方部分が仕切板５のスリット１１に差し込まれており、二重底壁１７が仕切板５により支持されている。
【先行技術文献】
【特許文献】
【０００４】
【特許文献１】特開２０１３−１３５９３号公報
【特許文献２】特許第４６８４４５７号公報
【発明の概要】
【発明が解決しようとする課題】
【０００５】
しかし、特許文献１に記載の商品陳列台においては、支持板部材１１が上段と下段にそれぞれ分離して設けられており、特に、上段に設けられる支持板部材１１は、左側面板２と右側面板３に接着されているのみであり（つまり、支持板部材１１の接着部１１ｄが左側面板２に接着され、支持板部材１１の接着部１１ｃが右側面板３に接着されている）、重量物を上段床面板７ａに載置した場合に、支持板部材１１が左側面板２や右側面板３から離脱して落下してしまう等十分に陳列棚の強度を確保することができないおそれがあった。
【０００６】
また、特許文献１のものにおいては、横幅を長くすると、棚部の剛性が低下してしまうという問題があった。つまり、特許文献１のものにおいては、支持板１１ａ、１１ｂが正面板１ａ、１ｂと平行に左右方向に設けられていることから、横幅を長くした場合、支持板１１ａ、１１ｂの左右方向の長さについても同様に長くする必要があり、その結果、支持板１１ａ、１１ｂの上下方向及び前後方向の曲げ強度が低下し、重量物を上段床面板７ａに載置した場合に、支持板部材１１が左側面板２や右側面板３から離脱して落下してしまう等十分に陳列棚の強度を確保することができないおそれがあった。
【０００７】
また、特許文献２のものにおいては、二重底壁１７を支持する仕切板５が両側面板３に略平行に前後方向に設けられているので、陳列棚の横幅を長くしても、仕切板５の前後方向の長さを変更する必要がなく、また、仕切板５の数量増加により、仕切板５と二重底壁１７とからなる棚部全体の剛性の低下を防止することができるが、仕切板５と二重底壁１７との係合に手間がかかり、仕切板５の数量を増加すれば、組立てが更に厄介となる。
【０００８】
そこで、本発明は、上下方向に複数の棚を有する陳列棚であって、重量物を載せても最下段よりも上側の棚の強度を保つことにより陳列棚の強度を保つことができ、かつ、組立てが簡易である陳列棚を提供することを目的とする。
【課題を解決するための手段】
【０００９】
本発明は上記問題点を解決するために創作されたものであって、第１には、陳列棚であって、陳列棚本体部（１０）と、内側構成部（３００）とを有し、陳列棚本体部と内側構成部がそれぞれシート状のブランクにより形成され、陳列棚本体部が、背面部（１１０）と、右側面部（１２０）と、左側面部（２１０）と、右側面部と左側面部間に設けられた複数の正面部（２３２ａ、２３２ｂ、２３２ｃ）とを有し、複数の正面部における上下方向に隣り合う正面部は上下方向に間隔を介して設けられ、各正面部の上辺からは棚構成部（２３４ａ、２３４ｂ、２３４ｃ）が設けられ、棚構成部は、正面部の上辺から第１折れ線（Ｃ５０ａ、Ｃ５０ｂ、Ｃ５０ｃ）を介して連設された棚本体部（２３６ａ、２３６ｂ、２３６ｃ）と、棚本体部の正面部とは反対側の辺部から第２折れ線（Ｃ６０ａ、Ｃ６０ｂ、Ｃ６０ｃ）を介して連設されたフラップ（２４２ａ、２４２ｂ、２４２ｃ）とを有し、棚本体部のフラップ側である先端側の端部には、第２折れ線よりも先端側に突出する突状部対が左右両側に設けられ、左側面側の突状部対（２３７ａ−１、２３７ｂ−１、２３７ｃ−１）を構成する第１突状部（２３８ａ−１、２３８ｂ−１、２３８ｃ−１）と第２突状部（２３８ａ−２、２３８ｂ−２、２３８ｃ−２）の間には第１間隙部（２４０ａ−１、２４０ｂ−１、２４０ｃ−１）が設けられ、右側面側の突状部対（２３７ａ−２、２３７ｂ−２、２３７ｃ−２）を構成する第３突状部（２３８ａ−３、２３８ｂ−３、２３８ｃ−３）と第４突状部（２３８ａ−４、２３８ｂ−４、２３８ｃ−４）の間には第２間隙部（２４０ａ−２、２４０ｂ−２、２４０ｃ−２）が設けられ、内側構成部が、正面部の内側の面に接着された正面側糊代部（３５０ａ、３５０ｂ、３５０ｃ）と、各正面側糊代部の左側面側の辺部から折れ線を介して連設された第１支持体で、各正面側糊代部の左側面側の辺部から折れ線を介して連設された第１棚受け部（３１４ａ、３１４ｂ、３１４ｃ）と、各第１棚受け部の正面側糊代部と反対側から連設された第１棚受け支持部（３１２）とを有する第１支持体（３１０）と、各正面側糊代部の右側面側の辺部から折れ線を介して連設された第２支持体で、各正面側糊代部の右側面側の辺部から折れ線を介して連設された第２棚受け部（３３４ａ、３３４ｂ、３３４ｃ）と、各第２棚受け部の正面側糊代部と反対側から連設された第２棚受け支持部（３３２）とを有する第２支持体（３３０）と、第１棚受け支持部の第１棚受け部と反対側の辺部から折れ線を介して連設され、背面部の内側の面に接着された第１背面側糊代部（３２０）と、第２棚受け支持部の第２棚受け部と反対側の辺部から折れ線を介して連設され、背面部の内側の面に接着された第２背面側糊代部（３４０）と、を有し、陳列棚を組み立てる際には、正面部と右側面部と左側面部と背面部における隣り合う各部が略直角をなすように陳列棚本体部を組み立て、陳列棚本体部を組み立てた状態では、第１支持体と第２支持体のそれぞれが、正面部と背面部の間に前後方向に設けられ、第１支持体と第２支持体とが左右方向に間隔を介して互いに略平行に設けられ、陳列棚本体部が組み立てられた状態で、棚構成部を第１折れ線を介して正面部に対して内側に回動させることにより、第１棚受け支持部における第１棚受け部の上辺（３１４ａ−１、３１４ｂ−１、３１４ｃ−１）から連設された辺部である第１連設辺部（３１２ｄ、３１２ｆ、３１２ｈ）が第１間隙部に挿入するとともに、第２棚受け支持部における第２棚受け部の上辺（３３４ａ−１、３３４ｂ−１、３３４ｃ−１）から連設された辺部である第２連設辺部（３３２ｄ、３３２ｆ、３３２ｈ）が第２間隙部に挿入して棚構成部が組み立てられ、棚構成部が組み立てられた状態では、第１棚受け部の上辺と第２棚受け部の上辺とが棚本体部に沿った状態で（「棚本体部が第１棚受け部の上辺と第２棚受け部の上辺に沿った状態で」としてもよい）、棚本体部が、第１棚受け部の上辺と第２棚受け部の上辺に接し、フラップが、第１棚受け支持部における第１連設辺部と第２棚受け支持部における第２連設辺部とに接することを特徴とする。
【００１０】
第１の構成においては、被陳列物を棚本体部に載せた際には、被陳列物の重量は第１棚受け部と第２棚受け部にかかるが、複数の第１棚受け部から連設された第１棚受け支持部と、複数の第２棚受け部から連設された第２棚受け支持部が設けられているので、重量物を乗せても棚の強度を保つことができる。
【００１１】
また、第１棚受け部と第２棚受け部が前後方向に設けられるので、陳列棚の横幅（左右方向の長さ）をより長くする場合でも、第１棚受け部と第２棚受け部の前後方向の長さを変更する必要がないことから、第１棚受け部と第２棚受け部の強度が低下せず、重量物を乗せても棚の強度を保つことができる。
【００１２】
また、陳列棚の組立てに際しては、陳列棚本体部を略四角筒状に組み立てた後に、棚構成部を正面部に対して内側に回動させるのみで棚構成部を組み立てることができるので、陳列棚の組立てを簡易とすることができる。
【００１３】
また、第２には、陳列棚であって、陳列棚本体部（１０）と、第１内側構成部（３００−１）と、第２内側構成部（３００−２）とを有し、陳列棚本体部と第１内側構成部と第２内側構成部とがそれぞれシート状のブランクにより形成され、陳列棚本体部が、背面部（１１０）と、右側面部（１２０）と、左側面部（２１０）と、右側面部と左側面部間に設けられた複数の正面部（２３２ａ、２３２ｂ、２３２ｃ）とを有し、複数の正面部における上下方向に隣り合う正面部は上下方向に間隔を介して設けられ、各正面部の上辺からは棚構成部（２３４ａ、２３４ｂ、２３４ｃ）が設けられ、棚構成部は、正面部の上辺から第１折れ線（Ｃ５０ａ、Ｃ５０ｂ、Ｃ５０ｃ）を介して連設された棚本体部（２３６ａ、２３６ｂ、２３６ｃ）と、棚本体部の正面部とは反対側の辺部から第２折れ線（Ｃ６０ａ、Ｃ６０ｂ、Ｃ６０ｃ）を介して連設されたフラップ（２４２ａ、２４２ｂ、２４２ｃ）とを有し、棚本体部のフラップ側である先端側の端部には、第２折れ線よりも先端側に突出する突状部対が左右両側に設けられ、左側面側の突状部対（２３７ａ−１、２３７ｂ−１、２３７ｃ−１）を構成する第１突状部（２３８ａ−１、２３８ｂ−１、２３８ｃ−１）と第２突状部（２３８ａ−２、２３８ｂ−２、２３８ｃ−２）の間には第１間隙部（２４０ａ−１、２４０ｂ−１、２４０ｃ−１）が設けられ、右側面側の突状部対（２３７ａ−２、２３７ｂ−２、２３７ｃ−２）を構成する第３突状部（２３８ａ−３、２３８ｂ−３、２３８ｃ−３）と第４突状部（２３８ａ−４、２３８ｂ−４、２３８ｃ−４）の間には第２間隙部（２４０ａ−２、２４０ｂ−２、２４０ｃ−２）が設けられ、第１内側構成部が、正面部の内側の面に接着された第１正面側糊代部（３５０ａ−１、３５０ｂ−１、３５０ｃ−１）と、各第１正面側糊代部の左右いずれかの側面側の辺部から折れ線を介して連設された第１支持体で、各第１正面側糊代部の該側面側の辺部から折れ線を介して連設された第１棚受け部（３１４ａ、３１４ｂ、３１４ｃ）と、各第１棚受け部の第１正面側糊代部と反対側から連設された第１棚受け支持部（３１２）とを有する第１支持体（３１０）と、第１棚受け支持部の第１棚受け部と反対側の辺部から折れ線を介して連設され、背面部の内側の面に接着された第１背面側糊代部（３２０）と、を有し、第２内側構成部が、正面部の内側の面に接着された第２正面側糊代部（３５０ａ−２、３５０ｂ−２、３５０ｃ−２）と、各第２正面側糊代部の左右いずれかの側面側の辺部から折れ線を介して連設された第２支持体で、各第２正面側糊代部の該側面部の辺部から折れ線を介して連設された第２棚受け部（３３４ａ、３３４ｂ、３３４ｃ）と、各第２棚受け部の第２正面側糊代部と反対側から連設された第２棚受け支持部（３３２）とを有する第２支持体（３３０）と、第２棚受け支持部の第２棚受け部と反対側の辺部から折れ線を介して連設され、背面部の内側の面に接着された第２背面側糊代部（３４０）と、を有し、陳列棚を組み立てる際には、正面部と右側面部と左側面部と背面部における隣り合う各部が略直角をなすように陳列棚本体部を組み立て、陳列棚本体部を組み立てた状態では、第１支持体と第２支持体のそれぞれが、正面部と背面部の間に前後方向に設けられ、第１支持体と第２支持体とが左右方向に間隔を介して互いに略平行に設けられ、陳列棚本体部が組み立てられた状態で、棚構成部を第１折れ線を介して正面部に対して内側に回動させることにより、第１棚受け支持部における第１棚受け部の上辺（３１４ａ−１、３１４ｂ−１、３１４ｃ−１）から連設された辺部である第１連設辺部（３１２ｄ、３１２ｆ、３１２ｈ）が第１間隙部に挿入するとともに、第２棚受け支持部における第２棚受け部の上辺（３３４ａ−１、３３４ｂ−１、３３４ｃ−１）から連設された辺部である第２連設辺部（３３２ｄ、３３２ｆ、３３２ｈ）が第２間隙部に挿入して棚構成部が組み立てられ、棚構成部が組み立てられた状態では、第１棚受け部の上辺と第２棚受け部の上辺とが棚本体部に沿った状態で（「棚本体部が第１棚受け部の上辺と第２棚受け部の上辺に沿った状態で」としてもよい）、棚本体部が、第１棚受け部の上辺と第２棚受け部の上辺に接し、フラップが、第１棚受け支持部における第１連設辺部と第２棚受け支持部における第２連設辺部とに接することを特徴とする。
【００１４】
第２の構成においては、被陳列物を棚本体部に載せた際には、被陳列物の重量は第１棚受け部と第２棚受け部にかかるが、複数の第１棚受け部から連設された第１棚受け支持部と、複数の第２棚受け部から連設された第２棚受け支持部が設けられているので、重量物を乗せても棚の強度を保つことができる。
【００１５】
また、第１棚受け部と第２棚受け部が前後方向に設けられるので、陳列棚の横幅（左右方向の長さ）をより長くする場合でも、第１棚受け部と第２棚受け部の前後方向の長さを変更する必要がないことから、第１棚受け部と第２棚受け部の強度が低下せず、重量物を乗せても棚の強度を保つことができる。
【００１６】
また、陳列棚の組立てに際しては、陳列棚本体部を略四角筒状に組み立てた後に、棚構成部を正面部に対して内側に回動させるのみで棚構成部を組み立てることができるので、陳列棚の組立てを簡易とすることができる。
【００１７】
また、第３には、上記第１又は第２の構成において、第１棚受け支持部の下端の上下方向の高さが陳列棚本体部の下端の上下方向の高さと一致して形成されるとともに、第２棚受け支持部の下端の上下方向の高さが陳列棚本体部の下端の上下方向の高さと一致して形成され、組み立てられた陳列棚を設置面に設置した際には、第１棚受け支持部の下端と第２棚受け支持部の下端が設置面に接することを特徴とする。
【００１８】
よって、第１棚受け支持部は、設置面に接した状態で、第１棚受け部を支え、第２棚受け支持部は、設置面に接した状態で、第２棚受け部を支える構成となるので、重量物を乗せても棚の強度を保つことができる。
【００１９】
また、第４には、上記第１から第３までのいずれかの構成において、第１棚受け部の上辺と第１連設辺部との間の角度は、直角以上であるとともに、第２棚受け部の上辺と第２連設辺部との間の角度は、直角以上であり、棚構成部が組み立てられた状態では、第１連設辺部と第２連設辺部とがフラップに沿った状態で（「フラップが第１連設辺部と第２連設辺部に沿った状態で」としてもよい）、フラップが、第１連設辺部と第２連設辺部に接していることを特徴とする。よって、棚構成部が回動する際に、棚受け支持部における第１棚受け部の上辺から連設された辺部が邪魔になることがない。
【００２０】
また、第５には、上記第１から第３までのいずれかの構成において、第１棚受け部の上辺と第１連設辺部との間の角度は、直角であるとともに、第２棚受け部の上辺と第２連設辺部との間の角度は、直角であり、棚構成部が組み立てられた状態では、第１連設辺部と第２連設辺部とがフラップに沿った状態で（「フラップが第１連設辺部と第２連設辺部に沿った状態で」としてもよい）、フラップが、第１連設辺部と第２連設辺部に接していることを特徴とする。よって、棚構成部が回動する際に、棚受け支持部における第１棚受け部の上辺から連設された辺部が邪魔になることがなく、また、被陳列物の陳列に支障がない。
【００２１】
また、第６には、上記第１から第５までのいずれかの構成において、第１棚受け部の上辺と第２棚受け部の上辺が、正面側から背面側に向けて斜め下方に傾斜して形成され、棚構成部が組み立てられた状態では、棚本体部は、第１棚受け部の上辺と第２棚受け部の上辺に沿って正面側から背面側に向けて斜め下方に傾斜していることを特徴とする。よって、第１棚受け部と第２棚受け部の正面側よりも背面側に重量がかかるが、第１棚受け部と第２棚受け部の背面側には第１棚受け支持部及び第２棚受け支持部が設けられているので、重量物を載せても棚の強度を確保することができる。
【００２２】
また、第７には、上記第１から第６までのいずれかの構成において、第１背面側糊代部は、陳列棚の組立て状態において、第１棚受け支持部に対して左右方向における一方の側に折曲した状態となるように背面部に接着され、第２背面側糊代部は、陳列棚の組立て状態において、第２棚受け支持部に対して左右方向における該一方の側に折曲した状態となるように背面部に接着されていることを特徴とする。
【００２３】
よって、陳列棚を折り畳む際に、第１棚受け部と第１背面側糊代部間の角度が大きくなるように陳列棚本体部を折り畳めば、第２棚受け部と第２背面側糊代部間の角度も大きくなるので、棚受け部と背面側糊代部間の角度が小さくなって折り畳みにくくなることがない。
【００２４】
また、第８には、上記第１から第７までのいずれかの構成において、陳列部本体部が、第１ブランクと第２ブランクとにより構成され、第１ブランクが、右側面部と左側面部の一方である第１側面部と、第１側面部から折れ線を介して連設された該複数の正面部と、複数の正面部における各正面部から折れ線を介して連設された棚構成部とを有し、第２ブランクは、右側面部と左側面部の他方である第２側面部と、第２側面部から折れ線を介して連設された背面部とを有し、第２側面部と複数の正面部とは糊代部を介して連設され、第１側面部と背面部とは糊代部を介して連設されていることを特徴とする。よって、陳列棚本体部を２つのブランクにより構成するので、陳列棚本体部を構成するブランクを製造するためのシート状部材（例えば、段ボール材）として、大きなシート状部材を用意する必要がない。
【００２５】
また、第９には、上記第１から第８までのいずれかの構成において、展開状態の棚構成部において、第２折れ線から形成された切込みで、第１突状部とフラップとを区画する切込み（Ｊ１１ａ、Ｊ２１ａ、Ｊ３１ａ）を形成することにより棚本体部の先端側に第１突状部が形成され、第２折れ線から形成された切込みで、第２突状部とフラップとを区画する切込み（Ｊ１２ａ、Ｊ２２ａ、Ｊ３２ａ）を形成することにより棚本体部の先端側に第２突状部が形成され、第２折れ線から形成された切込みで、第３突状部とフラップとを区画する切込み（Ｊ１１ｂ、Ｊ２１ｂ、Ｊ３１ｂ）を形成することにより棚本体部の先端側に第３突状部が形成され、第２折れ線から形成された切込みで、第４突状部とフラップとを区画する切込み（Ｊ１２ｂ、Ｊ２２ｂ、Ｊ３２ｂ）を形成することにより棚本体部の先端側に第４突状部が形成されていることを特徴とする。
【発明の効果】
【００２６】
本発明に基づく陳列棚によれば、被陳列物を棚本体部に載せた際には、被陳列物の重量は第１棚受け部と第２棚受け部にかかるが、複数の第１棚受け部から連設された第１棚受け支持部と、複数の第２棚受け部から連設された第２棚受け支持部が設けられているので、重量物を乗せても棚の強度を保つことができる。
【００２７】
また、第１棚受け部と第２棚受け部が前後方向に設けられるので、陳列棚の横幅（左右方向の長さ）をより長くする場合でも、第１棚受け部と第２棚受け部の前後方向の長さを変更する必要がないことから、第１棚受け部と第２棚受け部の強度が低下せず、重量物を乗せても棚の強度を保つことができる。
【００２８】
また、陳列棚の組立てに際しては、陳列棚本体部を略四角筒状に組み立てた後に、棚構成部を正面部に対して内側に回動させるのみで棚構成部を組み立てることができるので、陳列棚の組立てを簡易とすることができる。
【図面の簡単な説明】
【００２９】
【図１】陳列棚の斜視図である。
【図２】陳列棚の正面図である。
【図３】図２におけるＡ−Ａ断面図である。
【図４】陳列棚の底面図である。
【図５】背面側及び右側面側構成部の展開図である。
【図６】正面側及び左側面側構成部の展開図である。
【図７】展開状態の正面側及び左側面側構成部の要部拡大図である。
【図８】内側構成部の展開図である。
【図９】陳列棚の組立て手順を示す説明図である。
【図１０】陳列棚の組立て手順を示す説明図である。
【図１１】陳列棚の組立て手順を示す説明図である。
【図１２】内側構成部の他の例を示す展開図である。
【発明を実施するための形態】
【００３０】
本発明においては、最下段よりも上側の棚の強度を保つことにより陳列棚の強度を保つことができ、かつ、組立てが簡易である陳列棚を提供する
本発明に基づく陳列棚５は、図１〜図８に示すように構成され、陳列棚本体部１０と、陳列棚本体部１０の内側に設けられた内側構成部３００とを有し、陳列棚本体部１０は、正面部２３２ａ、２３２ｂ、２３２ｃと、右側面部１２０と、左側面部２１０と、背面部１１０と、棚構成部２３４ａ、２３４ｂ、２３４ｃとを有している。
【００３１】
陳列棚本体部１０は、具体的には、第１構成部１００と、第２構成部２００とにより構成されている。第１構成部１００と第２構成部２００と内側構成部３００におけるそれぞれは、１枚のシート状のブランク（紙製のブランクであり、具体的には、段ボール材製のブランクである）により形成されている。段ボールにおける断面略波形形状の中芯の段の方向は、図５、図６、図８、図１２における円内に示す方向となっている。つまり、第１構成部１００においては、段の方向は、右側面部１２０や背面部１１０の下辺に対して直角の方向で、折れ線Ｃ１０と平行な方向であり（図５参照）、第２構成部２００においては、段の方向は、左側面部２１０の下辺や正面側構成部２３０の下辺に対して直角の方向で、折れ線Ｃ３０、Ｃ４０ａ、Ｃ４０ｂと平行な方向であり（図６参照）、内側構成部３００においては、段の方向は、内側構成部３００の下辺に対して直角の方向で、折れ線Ｃ７０、Ｃ８０と平行な方向であり（図８参照）、内側構成部３００−１においては、段の方向は、内側構成部３００−１の下辺に対して直角の方向で、折れ線Ｃ７０と平行な方向であり、、内側構成部３００−２においては、段の方向は、内側構成部３００−２の下辺に対して直角の方向で、折れ線Ｃ８０と平行な方向である（図１２参照）。
【００３２】
まず、第１構成部１００は、右側面部１２０と背面部１１０を構成するためのブランクであり、第２構成部２００は、正面部２３２ａ、２３２ｂ、２３２ｃと左側面部２１０を構成するためのブランクである。
【００３３】
第１構成部１００は、背面部１１０と、右側面部１２０と、糊代部１３０ａと、糊代部１３０ｂと、糊代部１３０ｃとを有している。
【００３４】
背面部１１０は、縦長の長方形状（略長方形状としてもよい）の板状を呈している。
【００３５】
右側面部１２０は、背面部１１０の右側面側の辺部から折れ線Ｃ１０を介して連設され、縦長の略長方形状の一方の縦の辺部に３つの切欠部（切欠部１２２ａと、切欠部１２２ｂと、切欠部１２２ｃ）が形成された形状の板状を呈していて、背面部１１０に対して直角（略直角としてもよい）をなし、後説する左側面部２１０に対して平行（略平行としてもよい）に対向している。
【００３６】
つまり、切欠部１２２ａと、切欠部１２２ｂと、切欠部１２２ｃは、右側面部１２０の正面側の辺部の上下方向に間隔を介して形成され、切欠部１２２ａは、右側面部１２０の正面側の辺部の上端に形成され、略三角形状（具体的には、長方形状の角部を切り取った直角二等辺三角形状）を呈している。
【００３７】
また、切欠部１２２ｂは、右側面部１２０の正面側の辺部における切欠部１２２ａよりも下方の位置に形成され、略等脚台形状（具体的には、台形の平行でない一対の脚が上下方に位置して、正面側に行くに従い上側の脚と下側の脚との間隔が長くなる等脚台形状）を呈している。
【００３８】
また、切欠部１２２ｃは、右側面部１２０の正面側の辺部における切欠部１２２ｂよりも下方の位置に形成され、略等脚台形状（具体的には、台形の平行でない一対の脚が上下方に位置して、正面側に行くに従い上側の脚と下側の脚との間隔が長くなる等脚台形状）を呈している。
【００３９】
糊代部１３０ａは、右側面部１２０の正面側の辺部における切欠部１２２ａと切欠部１２２ｂとの間の位置から折れ線Ｃ２０ａを介して連設され、帯状の板状を呈し、後説する正面部２３２ａの内側面に接着されている。
【００４０】
また、糊代部１３０ｂは、右側面部１２０の正面側の辺部における切欠部１２２ｂと切欠部１２２ｃとの間の位置から折れ線Ｃ２０ｂを介して連設され、帯状の板状を呈し、後説する正面部２３２ｂの内側面に接着されている。
【００４１】
また、糊代部１３０ｃは、右側面部１２０の正面側の辺部における切欠部１２２ｃと下端との間の位置から折れ線Ｃ２０ｃを介して連設され、帯状の板状を呈し、後説する正面部２３２ｃの内側面に接着されている。
【００４２】
次に、第２構成部２００は、左側面部２１０と、糊代部２２０と、正面側構成部２３０とを有している。
【００４３】
左側面部２１０は、縦長の略長方形状の一方の縦の辺部に３つの切欠部（切欠部２１２ａと、切欠部２１２ｂと、切欠部２１２ｃ）が形成された形状の板状を呈し、背面部１１０に対して直角（略直角としてもよい）をなし、右側面部１２０に対して平行（略平行としてもよい）に対向している。
【００４４】
つまり、切欠部２１２ａと、切欠部２１２ｂと、切欠部２１２ｃは、左側面部２１０の正面側の辺部の上下方向に間隔を介して形成され、切欠部２１２ａは、左側面部２１０の正面側の辺部の上端に形成され、略三角形状（具体的には、長方形状の角部を切り取った形状の直角二等辺三角形状）を呈している。
【００４５】
また、切欠部２１２ｂは、左側面部２１０の正面側の辺部における切欠部２１２ａよりも下方の位置に形成され、略等脚台形状（具体的には、台形の平行でない一対の脚が上下方に位置して、正面側に行くに従い上側の脚と下側の脚との間隔が長くなる等脚台形状）を呈している。
【００４６】
また、切欠部２１２ｃは、左側面部２１０の正面側の辺部における切欠部２１２ｂよりも下方の位置に形成され、略等脚台形状（具体的には、台形の平行でない一対の脚が上下方に位置して、正面側に行くに従い上側の脚と下側の脚との間隔が長くなる等脚台形状）を呈している。
【００４７】
糊代部２２０は、左側面部２１０の背面側の辺部から折れ線Ｃ３０を介して連設され、帯状の板状を呈していて、背面部１１０の内側面の左側面側の端部に接着されている。なお、糊代部２２０は、背面部１１０の左側面側の端部に接着されているので、陳列棚５の折り畳みに際しては、図９に示すように、正面側構成部２３０と左側面部２１０とが略平行で、右側面部１２０と背面部１１０が略平行な状態となるように折り畳むことにより、左側面部２１０と糊代部２２０とを略面一にして、陳列棚５を折り畳みやすくすることができる。
【００４８】
正面側構成部２３０は、正面部２３２ａと、棚構成部２３４ａと、フラップ２４２ａと、正面部２３２ｂと、棚構成部２３４ｂと、フラップ２４２ｂと、正面部２３２ｃと、棚構成部２３４ｃと、フラップ２４２ｃとを有している。
【００４９】
正面部２３２ａと、正面部２３２ｂと、正面部２３２ｃは、正面側構成部２３０の上下方向に間隔を介して配設されている。つまり、上下方向に隣り合う正面部（正面部２３２ａと正面部２３２ｂ、正面部２３２ｂと正面部２３２ｃ）は上下方向に間隔を介して設けられている。
【００５０】
最上段に位置する正面部２３２ａは、左側面部２１０の正面側の辺部における切欠部２１２ａと切欠部２１２ｂとの間の位置から折れ線Ｃ４０ａを介して連設され、横長の長方形状（略長方形状としてもよい）の板状を呈している。
【００５１】
つまり、正面部２３２ａの上辺の左側面側の端部は、切欠部２１２ａの下端に接していて、正面部２３２ａの下辺の左側面側の端部は、切欠部２１２ｂの上端に接している。
【００５２】
また、正面部２３２ａの内側面の右側面側の端部には、右側面部１２０から連設された糊代部１３０ａが接着され、正面部２３２ａの上辺の右側面側の端部は、切欠部１２２ａの下端に接していて、正面部２３２ａの下辺の右側面側の端部は、切欠部１２２ｂの上端に接しており、正面部２３２ａは、背面部１１０と平行（略平行としてもよい）で、右側面部１２０及び左側面部２１０に対して直角（略直角としてもよい）をなしている。
【００５３】
棚構成部２３４ａは、棚本体部２３６ａと、突状部２３８ａ−１と、突状部２３８ａ−２と、突状部２３８ａ−３と、突状部２３８ａ−４とを有している。
【００５４】
棚本体部２３６ａは、正面部２３２ａの上辺から折れ線Ｃ５０ａを介して連設され、横長の略長方形状の板状を呈している。陳列棚５の組立て状態においては、棚本体部２３６ａは、棚受け部３１４ａ、３３４ａの上辺３１４ａ−１、３３４ａ−１に接するので、棚本体部２３６ａは、正面側から背面側に向けて下方に傾斜した状態となる。
【００５５】
突状部２３８ａ−１は、棚本体部２３６ａの背面側の辺部（正面部２３２ａ側とは反対側の辺部）における中央よりも左側面側の位置から連設され、背面側に突出し、略長方形状の板状を呈している。突状部２３８ａ−２は、棚本体部２３６ａの背面側の辺部（正面部２３２ａ側とは反対側の辺部）における突状部２３８ａ−１よりも中央側で突状部２３８ａ−１に近接した位置から連設され、背面側に突出し、略長方形状の板状を呈している。突状部２３８ａ−１、２３８ａ−２は、いずれも先端側の両側の角部にアールが形成された長方形状を呈し、両側辺と先端辺により略逆Ｕ字状を呈している。
【００５６】
突状部２３８ａ−１と突状部２３８ａ−２は、互いに近接しており、突状部２３８ａ−１と突状部２３８ａ−２との間の位置には、スリット状の間隙部２４０ａ−１が設けられている。
【００５７】
突状部２３８ａ−３は、棚本体部２３６ａの背面側の辺部（正面部２３２ａ側とは反対側の辺部）における中央よりも右側面側の位置から連設され、背面側に突出し、略長方形状の板状を呈している。突状部２３８ａ−４は、棚本体部２３６ａの背面側の辺部（正面部２３２ａ側とは反対側の辺部）における突状部２３８ａ−３よりも中央側で突状部２３８ａ−３に近接した位置から連設され、背面側に突出し、略長方形状の板状を呈している。突状部２３８ａ−３、２３８ａ−４は、いずれも先端側の両側の角部にアールが形成された長方形状を呈し、両側辺と先端辺により略逆Ｕ字状を呈している。
【００５８】
突状部２３８ａ−３と突状部２３８ａ−４は、互いに近接しており、突状部２３８ａ−３と突状部２３８ａ−４との間の位置には、スリット状の間隙部２４０ａ−２が設けられている。
【００５９】
フラップ２４２ａは、棚本体部２３６ａの背面側の辺部における突状部２３８ａ−１、突状部２３８ａ−２、突状部２３８ａ−３及び突状部２３８ａ−４を除く部分から折れ線Ｃ６０ａを介して連設され、横長の略長方形状の板状を呈している。
【００６０】
陳列棚５の組立て状態（棚構成部２３４ａの組立て状態としてもよい）においては、フラップ２４２ａは、辺部３１２ｄと辺部３３２ｄに当接し、フラップ２４２ａの辺部３１２ｄ、３３２ｄ側の面は、辺部３１２ｄ、３３２ｄに沿った状態となり、辺部３１２ｄ、３３２ｄは、フラップ２４２ａと平行となっている。
【００６１】
なお、突状部２３８ａ−１と突状部２３８ａ−２は、棚本体部２３６ａとフラップ２４２ａとの間に切込みＪ１ａを形成することにより形成され、同様に、突状部２３８ａ−３と突状部２３８ａ−４は、棚本体部２３６ａとフラップ２４２ａとの間に切込みＪ１ｂを形成することにより形成されている。２つの切込みＪ１ａ、Ｊ１ｂは同じ構成であり（厳密には、左右対称（正面側構成部２３０の上下方向の中心線を介して左右対称）であるが、切込みＪ１ａ自体と切込みＪ１ｂ自体もそれぞれ左右対称に形成されている）、切込みＪ１ａは、逆Ｕ字状の切込みＪ１１ａ、Ｊ１２ａと、切込みＪ１１ａと切込みＪ１２ａの下端をつなぐ直線状の切込みＪ１３ａにより形成されており、切込みＪ１ｂは、逆Ｕ字状の切込みＪ１１ｂ、Ｊ１２ｂと、切込みＪ１１ｂと切込みＪ１２ｂの下端をつなぐ直線状の切込みＪ１３ｂにより形成されており、切込みＪ１１ａと切込みＪ１１ｂとは左右対称（正面側構成部２３０の上下方向の中心線を介して左右対称）に形成され、切込みＪ１２ａと切込みＪ１２ｂとは左右対称（正面側構成部２３０の上下方向の中心線を介して左右対称）に形成されている。切込みＪ１ａにおける左右両側の端部と切込みＪ１ｂにおける左右両側の端部は、折れ線Ｃ６０ａと連設され、切込みＪ１１ａの右側面側の端部と切込みＪ１２ａの左側面側の端部とは、切込みＪ１３ａと連設され、切込みＪ１１ｂの左側面側の端部と切込みＪ１２ｂの右側面側の端部とは、切込みＪ１３ｂと連設されている。切込みＪ１３ａ、Ｊ１３ｂは、折れ線Ｃ６０ａの延長線上に形成されている。
【００６２】
つまり、棚構成部２３４ａの展開状態において、切込みＪ１１ａは突状部２３８ａ−１とフラップ２４２ａとを区画し、切込みＪ１２ａは突状部２３８ａ−２とフラップ２４２ａとを区画し、切込みＪ１１ｂは突状部２３８ａ−３とフラップ２４２ａとを区画し、切込みＪ１２ｂは突状部２３８ａ−４とフラップ２４２ａとを区画している。なお、切込みＪ１３ａ、Ｊ１３ｂは省略してもよい。
【００６３】
なお、突状部２３８ａ−１と突状部２３８ａ−２とで、突状部対２３７ａ−１が構成され、突状部２３８ａ−３と突状部２３８ａ−４とで、突状部対２３７ａ−２が構成される。
【００６４】
次に、正面部２３２ｂは、左側面部２１０の正面側の辺部における切欠部２１２ｂと切欠部２１２ｃとの間の位置から折れ線Ｃ４０ｂを介して連設され、横長の長方形状（略長方形状としてもよい）の板状を呈している。
【００６５】
つまり、正面部２３２ｂの上辺の左側面側の端部は、切欠部２１２ｂの下端に接していて、正面部２３２ｂの下辺の左側面側の端部は、切欠部２１２ｃの上端に接している。
【００６６】
また、正面部２３２ｂの内側面の右側面側の端部には、右側面部１２０から連設された糊代部１３０ｂが接着され、正面部２３２ｂの上辺の右側面側の端部は、切欠部１２２ｂの下端部に接していて、正面部２３２ｂの下辺の右側面側の端部は、切欠部１２２ｃの上端に接しており、正面部２３２ｂは、背面部１１０と平行（略平行としてもよい）で、右側面部１２０及び左側面部２１０に対して略直角をなしている。
【００６７】
棚構成部２３４ｂは、棚本体部２３６ｂと、突状部２３８ｂ−１と、突状部２３８ｂ−２と、突状部２３８ｂ−３と、突状部２３８ｂ−４とを有している。
【００６８】
棚本体部２３６ｂは、正面部２３２ｂの上辺から折れ線Ｃ５０ｂを介して連設され、横長の略長方形状の板状を呈している。陳列棚５の組立て状態においては、棚本体部２３６ｂは、棚受け部３１４ｂ、３３４ｂの上辺３１４ｂ−１、３３４ｂ−１に接するので、棚本体部２３６ｂは、正面側から背面側に向けて下方に傾斜した状態となる。
【００６９】
棚本体部２３６ｂの基端（正面部２３２ｂ側の端部）から先端までの長さＬ１２は、棚本体部２３６ａの基端（正面部２３２ａ側の端部）から先端までの長さＬ１１よりも短く形成されている。これは、内側構成部３００における棚受け部３１４ｂ、３３４ｂの上辺３１４ｂ−１、３３４ｂ−１の長さが、棚受け部３１４ａ、３３４ａの上辺３１４ａ−１、３３４ａ−１の長さよりも短く形成されていることに基づく。
【００７０】
突状部２３８ｂ−１は、棚本体部２３６ｂの背面側の辺部（正面部２３２ｂ側とは反対側の辺部）における中央よりも左側面側の位置から連設され、背面側に突出し、略長方形状の板状を呈している。突状部２３８ｂ−２は、棚本体部２３６ｂの背面側の辺部（正面部２３２ｂ側とは反対側の辺部）における突状部２３８ｂ−１よりも中央側で突状部２３８ｂ−１に近接した位置から連設され、背面側に突出し、略長方形状の板状を呈している。突状部２３８ｂ−１、２３８ｂ−２は、いずれも先端側の両側の角部にアールが形成された長方形状を呈し、両側辺と先端辺により略逆Ｕ字状を呈している。
【００７１】
突状部２３８ｂ−１と突状部２３８ｂ−２は、互いに近接しており、突状部２３８ｂ−１と突状部２３８ｂ−２との間の位置には、スリット状の間隙部２４０ｂ−１が設けられている。
【００７２】
突状部２３８ｂ−３は、棚本体部２３６ｂの背面側の辺部（正面部２３２ｂ側とは反対側の辺部）における中央よりも右側面側の位置から連設され、背面側に突出し、略長方形状の板状を呈している。突状部２３８ｂ−４は、棚本体部２３６ｂの背面側の辺部（正面部２３２ｂ側とは反対側の辺部）における突状部２３８ｂ−３よりも中央側で突状部２３８ｂ−３に近接した位置から連設され、背面側に突出し、略長方形状の板状を呈している。突状部２３８ｂ−３、２３８ｂ−４は、いずれも先端側の両側の角部にアールが形成された長方形状を呈し、両側辺と先端辺により略逆Ｕ字状を呈している。
【００７３】
突状部２３８ｂ−３と突状部２３８ｂ−４は、互いに近接しており、突状部２３８ｂ−３と突状部２３８ｂ−４との間の位置には、スリット状の間隙部２４０ｂ−２が設けられている。
【００７４】
フラップ２４２ｂは、棚本体部２３６ｂの背面側の辺部における突状部２３８ｂ−１、突状部２３８ｂ−２、突状部２３８ｂ−３及び突状部２３８ｂ−４を除く部分から折れ線Ｃ６０ｂを介して連設され、横長の略長方形状の板状を呈している。
【００７５】
陳列棚５の組立て状態（棚構成部２３４ｂの組立て状態としてもよい）においては、フラップ２４２ｂは、辺部３１２ｆと辺部３３２ｆに当接し、フラップ２４２ｂの辺部３１２ｆ、３３２ｆ側の面は、辺部３１２ｆ、３３２ｆに沿った状態となり、辺部３１２ｆ、３３２ｆは、フラップ２４２ｂと平行となっている。
【００７６】
なお、突状部２３８ｂ−１と突状部２３８ｂ−２は、棚本体部２３６ｂとフラップ２４２ｂとの間に切込みＪ２ａを形成することにより形成され、同様に、突状部２３８ｂ−３、突状部２３８ｂ−４は、棚本体部２３６ｂとフラップ２４２ｂとの間に切込みＪ２ｂを形成することにより形成されている。２つの切込みＪ２ａ、Ｊ２ｂは同じ構成であり（厳密には、左右対称（正面側構成部２３０の上下方向の中心線を介して左右対称）であるが、切込みＪ２ａ自体と切込みＪ２ｂ自体もそれぞれ左右対称に形成されている）、切込みＪ２ａは、逆Ｕ字状の切込みＪ２１ａ、Ｊ２２ａと、切込みＪ２１ａと切込みＪ２２ａの下端をつなぐ直線状の切込みＪ２３ａにより形成されており、切込みＪ２ｂは、逆Ｕ字状の切込みＪ２１ｂ、Ｊ２２ｂと、切込みＪ２１ｂと切込みＪ２２ｂの下端をつなぐ直線状の切込みＪ２３ｂにより形成されており、切込みＪ２１ａと切込みＪ２１ｂとは左右対称（正面側構成部２３０の上下方向の中心線を介して左右対称）に形成され、切込みＪ２２ａと切込みＪ２２ｂとは左右対称（正面側構成部２３０の上下方向の中心線を介して左右対称）に形成されている。切込みＪ２ａにおける左右両側の端部と切込みＪ２ｂにおける左右両側の端部は、折れ線Ｃ６０ｂと連設され、切込みＪ２１ａの右側面側の端部と切込みＪ２２ａの左側面側の端部とは、切込みＪ２３ａと連設され、切込みＪ２１ｂの左側面側の端部と切込みＪ２２ｂの右側面側の端部とは、切込みＪ２３ｂと連設されている。切込みＪ２３ａ、Ｊ２３ｂは、折れ線Ｃ６０ｂの延長線上に形成されている。
【００７７】
つまり、棚構成部２３４ｂの展開状態において、切込みＪ２１ａは突状部２３８ｂ−１とフラップ２４２ｂとを区画し、切込みＪ２２ａは突状部２３８ｂ−２とフラップ２４２ｂとを区画し、切込みＪ２１ｂは突状部２３８ｂ−３とフラップ２４２ｂとを区画し、切込みＪ２２ｂは突状部２３８ｂ−４とフラップ２４２ｂとを区画している。なお、切込みＪ２３ａ、Ｊ２３ｂは省略してもよい。
【００７８】
なお、突状部２３８ｂ−１と突状部２３８ｂ−２とで、突状部対２３７ｂ−１が構成され、突状部２３８ｂ−３と突状部２３８ｂ−４とで、突状部対２３７ａ−２が構成される。
【００７９】
次に、正面部２３２ｃは、左側面部２１０の正面側の辺部における切欠部２１２ｃと下端との間の位置から折れ線Ｃ４０ｃを介して連設され、横長の長方形状（略長方形状としてもよい）の板状を呈している。
【００８０】
つまり、正面部２３２ｃの上辺の左側面側の端部は、切欠部２１２ｃの下端に接していて、正面部２３２ｃの下辺の左側面側の端部は、左側面部２１０の正面側の辺部の下端に接している。
【００８１】
また、正面部２３２ｃの内側面の右側面側の端部には、右側面部１２０から連設された糊代部１３０ｃが接着され、正面部２３２ｃの上辺の右側面側の端部は、切欠部１２２ｃの下端に接していて、正面部２３２ｃの下辺の右側面側の端部は、右側面部１２０の正面側の辺部の下端に接しており、正面部２３２ｃは、背面部１１０と平行（略平行としてもよい）で、右側面部１２０及び左側面部２１０に対して直角（略直角としてもよい）をなしている。
【００８２】
棚構成部２３４ｃは、棚本体部２３６ｃと、突状部２３８ｃ−１と、突状部２３８ｃ−２と、突状部２３８ｃ−３と、突状部２３８ｃ−４とを有している。
【００８３】
棚本体部２３６ｃは、正面部２３２ｃの上辺から折れ線Ｃ５０ｃを介して連設され、横長の略長方形状の板状を呈している。陳列棚５の組立て状態においては、棚本体部２３６ｃは、棚受け部３１４ｃ、３３４ｃの上辺３１４ｃ−１、３３４ｃ−１に接するので、棚本体部２３６ｃは、正面側から背面側に向けて下方に傾斜した状態となる。
【００８４】
棚本体部２３６ｃの基端（正面部２３２ｃ側の端部）から先端までの長さＬ１３は、長さＬ１２と同じであり、長さＬ１１よりも短く形成されている。これは、内側構成部３００における棚受け部３１４ｃ、３３４ｃの上辺３１４ｃ−１、３３４ｃ−１の長さが、棚受け部３１４ａ、３３４ａの上辺３１４ａ−１、３３４ａ−１の長さよりも短く形成されていることに基づく。
【００８５】
突状部２３８ｃ−１は、棚本体部２３６ｃの背面側の辺部（正面部２３２ｃ側とは反対側の辺部）における中央よりも左側面側の位置から連設され、背面側に突出し、略長方形状の板状を呈している。突状部２３８ｃ−２は、棚本体部２３６ｃの背面側の辺部（正面部２３２ｃ側とは反対側の辺部）における突状部２３８ｃ−１よりも中央側で突状部２３８ｃ−１に近接した位置から連設され、背面側に突出し、略長方形状の板状を呈している。突状部２３８ｃ−１、２３８ｃ−２は、いずれも先端側の両側の角部にアールが形成された長方形状を呈し、両側辺と先端辺により略逆Ｕ字状を呈している。
【００８６】
突状部２３８ｃ−１と突状部２３８ｃ−２は、互いに近接しており、突状部２３８ｃ−１と突状部２３８ｃ−２との間の位置には、スリット状の間隙部２４０ｃ−１が設けられている。
【００８７】
突状部２３８ｃ−３は、棚本体部２３６ｃの背面側の辺部（正面部２３２ｃ側とは反対側の辺部）における中央よりも右側面側の位置から連設され、背面側に突出し、略長方形状の板状を呈している。突状部２３８ｃ−４は、棚本体部２３６ｃの背面側の辺部（正面部２３２ｃ側とは反対側の辺部）における突状部２３８ｃ−３よりも中央側で突状部２３８ｃ−３に近接した位置から連設され、背面側に突出し、略長方形状の板状を呈している。突状部２３８ｃ−３、２３８ｃ−４は、いずれも先端側の両側の角部にアールが形成された長方形状を呈し、両側辺と先端辺により略逆Ｕ字状を呈している。
【００８８】
突状部２３８ｃ−３と突状部２３８ｃ−４は、互いに近接しており、突状部２３８ｃ−３と突状部２３８ｃ−４との間の位置には、スリット状の間隙部２４０ｃ−２が設けられている。
【００８９】
フラップ２４２ｃは、棚本体部２３６ｃの背面側の辺部における突状部２３８ｃ−１、突状部２３８ｃ−２、突状部２３８ｃ−３及び突状部２３８ｃ−４を除く部分から折れ線Ｃ６０ｃを介して連設され、横長の略長方形状の板状を呈している。
【００９０】
陳列棚５の組立て状態（棚構成部２３４ｃの組立て状態としてもよい）においては、フラップ２４２ｃは、辺部３１２ｈと辺部３３２ｈに当接し、フラップ２４２ｃの辺部３１２ｈ、３３２ｈ側の面は、辺部３１２ｈ、３３２ｈに沿った状態となり、辺部３１２ｈ、３３２ｈは、フラップ２４２ｃと平行となっている。
【００９１】
なお、突状部２３８ｃ−１、２３８ｃ−２は、棚本体部２３６ｃとフラップ２４２ｃとの間に切込みＪ３ａを形成することにより形成され、同様に、突状部２３８ｃ−３、突状部２３８ｃ−４は、棚本体部２３６ｃとフラップ２４２ｃとの間に切込みＪ３ｂを形成することにより形成されている。２つの切込みＪ３ａ、Ｊ３ｂは同じ構成であり（厳密には、左右対称（正面側構成部２３０の上下方向の中心線を介して左右対称）であるが、切込みＪ３ａ自体と切込みＪ３ｂ自体もそれぞれ左右対称に形成されている）、切込みＪ３ａは、逆Ｕ字状の切込みＪ３１ａ、Ｊ３２ａと、切込みＪ３１ａと切込みＪ３２ａの下端をつなぐ直線状の切込みＪ３３ａにより形成されており、切込みＪ３ｂは、逆Ｕ字状の切込みＪ３１ｂ、Ｊ３２ｂと、切込みＪ３１ｂと切込みＪ３２ｂの下端をつなぐ直線状の切込みＪ３３ｂにより形成されており、切込みＪ３１ａと切込みＪ３１ｂとは左右対称（正面側構成部２３０の上下方向の中心線を介して左右対称）に形成され、切込みＪ３２ａと切込みＪ３２ｂとは左右対称（正面側構成部２３０の上下方向の中心線を介して左右対称）に形成されている。切込みＪ３ａにおける左右両側の端部と切込みＪ３ｂにおける左右両側の端部は、折れ線Ｃ６０ｃと連設され、切込みＪ３１ａの右側面側の端部と切込みＪ３２ａの左側面側の端部とは、切込みＪ３３ａと連設され、切込みＪ３１ｂの左側面側の端部と切込みＪ３２ｂの右側面側の端部とは、切込みＪ３３ｂと連設されている。切込みＪ３３ａ、Ｊ３３ｂは、折れ線Ｃ６０ｃの延長線上に形成されている。
【００９２】
つまり、棚構成部２３４ｃの展開状態において、切込みＪ３１ａは突状部２３８ｃ−１とフラップ２４２ｃとを区画し、切込みＪ３２ａは突状部２３８ｃ−２とフラップ２４２ｃとを区画し、切込みＪ３１ｂは突状部２３８ｃ−３とフラップ２４２ｃとを区画し、切込みＪ３２ｂは突状部２３８ｃ−４とフラップ２４２ｃとを区画している。なお、切込みＪ３３ａ、Ｊ３３ｂは省略してもよい。
【００９３】
なお、突状部２３８ｃ−１と突状部２３８ｃ−２とで、突状部対２３７ｃ−１が構成され、突状部２３８ｃ−３と突状部２３８ｃ−４とで、突状部対２３７ｃ−２が構成される。
【００９４】
また、正面部２３２ｃの下辺と右側面部１２０の下辺と左側面部２１０の下辺と背面部１１０の下辺とは、上下方向の高さが一致して形成され、正面部２３２ｃの下辺と右側面部１２０の下辺と左側面部２１０の下辺と背面部１１０の下辺が、陳列棚本体部１０の下端となる。陳列棚本体部１０を設置面に設置した際には、陳列棚本体部１０の下端が設置面に接する。
【００９５】
以上のように、棚構成部２３４ａと棚構成部２３４ｂと棚構成部２３４ｃは、同一の構成に形成されている。なお、正面側構成部２３０は、棚構成部２３４ａ、２３４ｂ、２３４ｃを組み立てる前の状態では、平板状を呈し、背面部１１０と平行（略平行としてもよい）となっている。
【００９６】
次に、内側構成部３００について説明する。内側構成部３００は、支持体３１０と、背面側糊代部３２０と、支持体３３０と、背面側糊代部３４０と、正面側糊代部３５０ａと、正面側糊代部３５０ｂと、正面側糊代部３５０ｃとを有している。
【００９７】
ここで、支持体（第１支持体）３１０は、背面部１１０の内側面から連設された棚受け支持部（第１棚受け支持部）３１２と、棚受け支持部３１２の正面側から連設された、棚受け部（第１棚受け部）３１４ａと、棚受け部（第１棚受け部）３１４ｂと、棚受け部（第１棚受け部）３１４ｃとを有している。支持体３１０は、全体に１枚の板状を呈している。
【００９８】
棚受け支持部３１２は、背面側の辺部３１２ｂが一直線状の縦長の板状を呈し、背面部１１０の下端から上端近くの位置（正面部２３２ａよりも上方の位置）に至るまでの長さを有している。
【００９９】
すなわち、棚受け支持部３１２は、棚受け支持部３１２の下辺を構成する直線状の辺部３１２ａと、辺部３１２ａの背面側の端部から連設され、辺部３１２ａに対して直角をなす直線状の辺部３１２ｂと、辺部３１２ｂの上端から連設され、辺部３１２ｂに対して直角をなす辺部３１２ｃと、辺部３１２ｃの辺部３１２ｂとは反対側の端部から連設され、下方にいくほど辺部３１２ｂから遠ざかるように傾斜した直線状の辺部（第１連設辺部）３１２ｄと、辺部３１２ｄの下端から連設され、辺部３１２ｄの下端と棚受け部３１４ａの下辺３１４ａ−２の背面側の端部間の直線状の辺部３１２ｅと、辺部３１２ｅの下端から連設され、棚受け部３１４ｂの上辺３１４ａ−１の背面側の端部に向けて形成された直線状の辺部（第１連設辺部）３１２ｆと、辺部３１２ｆの下端から連設され、辺部３１２ｆの下端と棚受け部３１４ｂの下辺３１４ｂ−２の背面側の端部間の直線状の辺部３１２ｇと、辺部３１２ｇの下端から連設され、棚受け部３１４ｃの上辺３１４ｃ−１の背面側の端部に向けて形成された直線状の辺部（第１連設辺部）３１２ｈと、辺部３１２ｈの下端から辺部３１２ａに対して直角に下方に形成され、辺部３１２ｈの下端と辺部３１２ａの正面側の端部間の直線状の辺部３１２ｉとにより囲まれた形状を呈している。
【０１００】
なお、辺部３１２ｅ、３１２ｇ、３１２ｉからは棚受け部３１４ａ、３１４ｂ、３１４ｃが連設されているので、辺部３１２ｅ、３１２ｇ、３１２ｉは棚受け部３１４ａ、３１４ｂ、３１４ｃと区画するための仮想的な辺部であるといえる。辺部３１２ｄ、３１２ｆ、３１２ｈは、下方にいくほど正面側となるように傾斜して形成され、辺部３１２ｄ、３１２ｆ、３１２ｈの水平方向に対する傾斜角度は、同一に形成されている。また、辺部３１２ｅ、３１２ｇは、下方にいくほど背面側となるように傾斜して形成されている。
【０１０１】
棚受け支持部３１２には、棚受け部３１４ａと、棚受け部３１４ｂと、棚受け部３１４ｃとが、上下方向に間隔を介して配設されている。
【０１０２】
最上段に位置する棚受け部３１４ａは、棚受け支持部３１２の正面側の辺部３１２ｅから連設され、板状を呈し、棚受け部３１４ａの上辺３１４ａ−１は、棚受け支持部３１２からの距離が長くなるに従い上方に向かうように傾斜した直線状に形成されている（つまり、上辺３１４ａ−１は、正面側から背面側に向けて斜め下方に傾斜している）。また、棚受け部３１４ａの下辺３１４ａ−２は、棚受け支持部３１２からの距離が長くなるに従い上方に向かうように傾斜した直線状に形成されている。下辺３１４ａ−２の水平方向（棚受け部３１４ｃの下辺３１４ｃ−２の方向）に対する傾斜角度は、上辺３１４ａ−１の水平方向に対する傾斜角度よりも大きく形成され、これにより、棚受け部３１４ａは、棚受け支持部３１２側から正面側糊代部３５０ａ側に行くほど上下方向の幅が短く、いわゆる先細りの形状となっている。また、棚受け部３１４ａの先端側の辺部は、上下方向に形成されている。また、上辺３１４ａ−１と辺部３１２ｄ間の角度α１ａは直角をなしており、これにより、組立て状態において、棚受け支持部３１２の辺部３１２ｄが回動してきた棚本体部２３６ａの間隙部２４０ａ−１に嵌合した状態で、棚本体部２３６ａが上辺３１４ａ−１に接した状態とできる。つまり、上辺３１４ａ−１と辺部３１２ｄ間の角度が直角よりも小さい場合には、辺部３１２ｄが邪魔となって、棚本体部２３６ａが上辺３１４ａ−１に接することができない（上辺３１４ｂ−１と辺部３１２ｆ間、上辺３１４ｃ−１と辺部３１２ｈ間の角度、上辺３３４ａ−１と辺部３３２ｄ間の角度、上辺３３４ｂ−１と辺部３３２ｆ間、辺部３３４ｃ−１と辺部３３２ｈ間の角度についても同じ）。なお、上辺３１４ａ−１と辺部３１２ｄ間の角度は直角よりも大きく形成してもよい。
【０１０３】
二段目に位置する棚受け部３１４ｂは、棚受け支持部３１２の正面側の辺部３１２ｇから連設され、板状を呈し、棚受け部３１４ｂの上辺３１４ｂ−１は、棚受け支持部３１２からの距離が長くなるに従い上方に向かうように傾斜した直線状に形成されている（つまり、上辺３１４ｂ−１は、正面側から背面側に向けて斜め下方に傾斜している）。また、棚受け部３１４ｂの下辺３１４ｂ−２は、棚受け支持部３１２からの距離が長くなるに従い上方に向かうように傾斜した直線状に形成されている。下辺３１４ｂ−２の水平方向（棚受け部３１４ｃの下辺３１４ｃ−２の方向）に対する傾斜角度は、上辺３１４ｂ−１の水平方向に対する傾斜角度よりも大きく形成され、これにより、棚受け部３１４ｂは、棚受け支持部３１２側から正面側糊代部３５０ｂ側に行くほど上下方向の幅が短く、いわゆる先細りの形状となっている。また、棚受け部３１４ｂの先端側の辺部は、上下方向に形成されている。また、上辺３１４ｂ−１と辺部３１２ｆ間の角度α１ｂは直角をなしており、これにより、組立て状態において、棚受け支持部３１２の辺部３１２ｆが回動してきた棚本体部２３６ｂの間隙部２４０ｂ−１に嵌合した状態で、棚本体部２３６ｂが上辺３１４ｂ−１に接した状態とできる。なお、上辺３１４ｂ−１と辺部３１２ｆ間の角度は直角よりも大きく形成してもよい。
【０１０４】
三段目に位置する棚受け部３１４ｃは、棚受け支持部３１２の正面側の辺部３１２ｉから連設され、板状を呈し、棚受け部３１４ｃの上辺３１４ｃ−１は、棚受け支持部３１２からの距離が長くなるに従い上方に向かうように傾斜した直線状に形成されている（つまり、上辺３１４ｃ−１は、正面側から背面側に向けて斜め下方に傾斜している）。また、棚受け部３１４ｃの下辺３１４ｃ−２は、水平方向（つまり、辺部３１２ａの延長線上）に形成されている。これにより、棚受け部３１４ｃは、棚受け支持部３１２側から正面側糊代部３５０ｃ側に行くほど上下方向の幅が長くなく、いわゆる先太りの形状となっている。また、棚受け部３１４ｃの先端側の辺部は、上下方向に形成されている。また、上辺３１４ｃ−１と辺部３１２ｈ間の角度α１ｃは直角をなしており、これにより、組立て状態において、棚受け支持部３１２の辺部３１２ｈが回動してきた棚本体部２３６ｃの間隙部２４０ｃ−１に嵌合した状態で、棚本体部２３６ｃが上辺３１４ｃ−１に接した状態とできる。なお、上辺３１４ｃ−１と辺部３１２ｈ間の角度は直角よりも大きく形成してもよい。
【０１０５】
なお、「上辺３１４ａ−１、３１４ｂ−１、３１４ｃ−１、３３４ａ−１、３３４ｂ−１、３３４ｃ−１」は、「辺部３１４ａ−１、３１４ｂ−１、３１４ｃ−１、３３４ａ−１、３３４ｂ−１、３３４ｃ−１」としてもよく、「下辺３１４ａ−２、３１４ｂ−２、３１４ｃ−２、３３４ａ−２、３３４ｂ−２、３３４ｃ−２」は、「辺部３１４ａ−２、３１４ｂ−２、３１４ｃ−２、３３４ａ−２、３３４ｂ−２、３３４ｃ−２」としてもよい。
【０１０６】
背面側糊代部（第１背面側糊代部）３２０は、支持体３１０の背面側の辺部、つまり、棚受け支持部３１２の背面側の辺部３１２ｂから折れ線Ｃ７０を介して連設され、縦長の帯状の板状を呈している。背面側糊代部３２０は、背面部１１０の内側面における中央よりも左側面側の位置に上下方向に接着され（これにより、折れ線Ｃ７０と折れ線Ｃ３０とは平行になっている）、陳列棚５の組立て状態において、折れ線Ｃ７０が、後説する正面側糊代部３５０ａと棚受け部３１４ａとの境界位置の折れ線Ｃ９０ａと、後説する正面側糊代部３５０ｂと棚受け部３１４ｂとの境界位置の折れ線Ｃ９０ｂと、後説する正面側糊代部３５０ｃと棚受け部３１４ｃとの境界位置の折れ線Ｃ９０ｃとに、陳列棚５の組み立て状態で正対する位置（つまり、折れ線Ｃ７０は、折れ線Ｃ９０ａ、Ｃ９０ｂ、Ｃ９０ｃと左右方向において同じ位置となる位置）に接着されており、これにより、陳列棚５の組立て状態において、棚受け部３１４ａと棚受け部３１４ｂと棚受け部３１４ｃは、右側面部１２０及び左側面部２１０と平行（略平行としてもよい）で、背面部１１０と正面部２３２ａと正面部２３２ｂと正面部２３２ｃに対して直角（略直角としてもよい）をなす。
【０１０７】
なお、背面側糊代部３２０は、陳列棚５の組立て状態において、支持体３１０に対して右側面側に折曲した状態となるように接着されており、これにより、陳列棚５を図９に示すように折り畳んだ状態（つまり、正面側構成部２３０と左側面部２１０とが略平行で、右側面部１２０と背面部１１０が略平行な状態）とする際に、支持体３１０と背面側糊代部３２０とが略面一の状態となるので、陳列棚５が折り畳みやすくなっている。
【０１０８】
また、支持体（第２支持体）３３０は、背面部１１０の内側面から連設された棚受け支持部（第２棚受け支持部）３３２と、棚受け支持部３３２の正面側から連設された、棚受け部（第２棚受け部）３３４ａと、棚受け部（第２棚受け部）３３４ｂと、棚受け部（第２棚受け部）３３４ｃとを有している。支持体３３０は、全体に１枚の板状を呈している。
【０１０９】
棚受け支持部３３２は、背面側の辺部３３２ｂが一直線状の縦長の板状を呈し、背面部１１０の下端から上端近くの位置（正面部２３２ａよりも上方の位置）に至るまでの長さを有している。棚受け支持部３３２は、内側構成部３００の展開状態においては、左右線対称に形成され、陳列棚５の組立て状態においては、左右面対称に形成されている。
【０１１０】
すなわち、棚受け支持部３３２は、棚受け支持部３３２の下辺を構成する直線状の辺部３３２ａと、辺部３３２ａの背面側の端部から連設され、辺部３３２ａに対して直角をなす直線状の辺部３３２ｂと、辺部３３２ｂの上端から連設され、辺部３３２ｂに対して直角をなす辺部３３２ｃと、辺部３３２ｃの辺部３３２ｂとは反対側の端部から連設され、下方にいくほど辺部３３２ｂから遠ざかるように傾斜した直線状の辺部（第２連設辺部）３３２ｄと、辺部３３２ｄの下端から連設され、辺部３３２ｄの下端と棚受け部３３４ａの下辺３３４ａ−２の背面側の端部間の直線状の辺部３３２ｅと、辺部３３２ｅの下端から連設され、棚受け部３３４ｂの上辺３３４ａ−１の背面側の端部に向けて形成された直線状の辺部（第２連設辺部）３３２ｆと、辺部３３２ｆの下端から連設され、辺部３３２ｆの下端と棚受け部３３４ｂの下辺３３４ｂ−２の背面側の端部間の直線状の辺部３３２ｇと、辺部３３２ｇの下端から連設され、棚受け部３３４ｃの上辺３３４ｃ−１の背面側の端部に向けて形成された直線状の辺部（第２連設辺部）３３２ｈと、辺部３３２ｈの下端から辺部３３２ａに対して直角に下方に形成され、辺部３３２ｈの下端と辺部３１２ａの正面側の端部間の直線状の辺部３３２ｉとにより囲まれた形状を呈している。
【０１１１】
なお、辺部３３２ｅ、３３２ｇ、３３２ｉからは棚受け部３３４ａ、３３４ｂ、３３４ｃが連設されているので、辺部３３２ｅ、３３２ｇ、３３２ｉは棚受け部３３４ａ、３３４ｂ、３３４ｃと区画するための仮想的な辺部であるといえる。辺部３３２ｄ、３３２ｆ、３３２ｈは、下方にいくほど正面側となるように傾斜して形成され、辺部３３２ｄ、３３２ｆ、３３２ｈの水平方向に対する傾斜角度は、同一に形成されている。また、辺部３３２ｅ、３３２ｇは、下方にいくほど背面側となるように傾斜して形成されている。
【０１１２】
棚受け支持部３３２には、棚受け部３３４ａと、棚受け部３３４ｂと、棚受け部３３４ｃとが、上下方向に間隔を介して配設されている。
【０１１３】
最上段に位置する棚受け部３３４ａは、棚受け支持部３３２の正面側の辺部３３２ｅから連設され、板状を呈し、棚受け部３３４ａの上辺３３４ａ−１は、棚受け支持部３１２からの距離が長くなるに従い上方に向かうように傾斜した直線状に形成されている（つまり、上辺３３４ａ−１は、正面側から背面側に向けて斜め下方に傾斜している）。また、棚受け部３３４ａの下辺３３４ａ−２は、棚受け支持部３３２からの距離が長くなるに従い上方に向かうように傾斜した直線状に形成されている。下辺３３４ａ−２の水平方向（棚受け部３３４ｃの下辺３３４ｃ−２の方向）に対する傾斜角度は、上辺３３４ａ−１の水平方向に対する傾斜角度よりも大きく形成され、これにより、棚受け部３３４ａは、棚受け支持部３３２側から正面側糊代部３５０ａ側に行くほど上下方向の幅が短く、いわゆる先細りの形状となっている。また、棚受け部３３４ａの先端側の辺部は、上下方向に形成されている。また、上辺３３４ａ−１と辺部３３２ｄ間の角度α２ａは直角をなしており、これにより、組立て状態において、棚受け支持部３３２の辺部３３２ｄが回動してきた棚本体部２３６ａの間隙部２４０ａ−２に嵌合した状態で、棚本体部２３６ａが上辺３３４ａ−１に接した状態とできる。なお、上辺３３４ａ−１と辺部３３２ｄ間の角度は直角よりも大きく形成してもよい。
【０１１４】
二段目に位置する棚受け部３３４ｂは、棚受け支持部３３２の正面側の辺部３３２ｇから連設され、板状を呈し、棚受け部３３４ｂの上辺３３４ｂ−１は、棚受け支持部３３２からの距離が長くなるに従い上方に向かうように傾斜した直線状に形成されている（つまり、上辺３３４ｂ−１は、正面側から背面側に向けて斜め下方に傾斜している）。また、棚受け部３３４ｂの下辺３３４ｂ−２は、棚受け支持部３３２からの距離が長くなるに従い上方に向かうように傾斜した直線状に形成されている。下辺３３４ｂ−２の水平方向（棚受け部３３４ｃの下辺３３４ｃ−２の方向）に対する傾斜角度は、上辺３３４ｂ−１の水平方向に対する傾斜角度よりも大きく形成され、これにより、棚受け部３３４ｂは、棚受け支持部３３２側から正面側糊代部３５０ｂ側に行くほど上下方向の幅が短く、いわゆる先細りの形状となっている。また、棚受け部３３４ｂの先端側の辺部は、上下方向に形成されている。また、上辺３３４ｂ−１と辺部３３２ｆ間の角度α２ｂは直角をなしており、これにより、組立て状態において、棚受け支持部３３２の辺部３３２ｆが回動してきた棚本体部２３６ｂの間隙部２４０ｂ−２に嵌合した状態で、棚本体部２３６ｂが上辺３３４ｂ−１に接した状態とできる。なお、上辺３３４ｂ−１と辺部３３２ｆ間の角度は直角よりも大きく形成してもよい。
【０１１５】
三段目に位置する棚受け部３３４ｃは、棚受け支持部３３２の正面側の辺部３３２ｉから連設され、板状を呈し、棚受け部３３４ｃの上辺３３４ｃ−１は、棚受け支持部３３２からの距離が長くなるに従い上方に向かうように傾斜した直線状に形成されている（つまり、上辺３３４ｃ−１は、正面側から背面側に向けて斜め下方に傾斜している）。また、棚受け部３３４ｃの下辺３３４ｃ−２は、水平方向（つまり、辺部３３２ａの延長線上）に形成されている。これにより、棚受け部３３４ｃは、棚受け支持部３３２側から正面側糊代部３５０ｃ側に行くほど上下方向の幅が長くなく、いわゆる先太りの形状となっている。また、棚受け部３３４ｃの先端側の辺部は、上下方向に形成されている。また、辺部３３４ｃ−１と辺部３３２ｈ間の角度α２ｃは直角をなしており、これにより、組立て状態において、棚受け支持部３３２の辺部３３２ｈが回動してきた棚本体部２３６ｃの間隙部２４０ｃ−２に嵌合した状態で、棚本体部２３６ｃが辺部３３４ｃ−１に接した状態とできる。なお、辺部３３４ｃ−１と辺部３３２ｈ間の角度は直角よりも大きく形成してもよい。
【０１１６】
背面側糊代部（第２背面側糊代部）３４０は、支持体３３０の背面側の辺部、つまり、棚受け支持部３３２の背面側の辺部３３２ｂから折れ線Ｃ８０を介して連設され、縦長の帯状の板状を呈している。背面側糊代部３４０は、背面部１１０の内側面における中央よりも右側面側の位置に上下方向に接着され（これにより、折れ線Ｃ８０と折れ線Ｃ１０とは平行になっている）、陳列棚５の組立て状態において、折れ線Ｃ８０が、後説する正面側糊代部３５０ａと棚受け部３３４ａとの境界位置の折れ線Ｃ１００ａと、後説する正面側糊代部３５０ｂと棚受け部３３４ｂとの境界位置の折れ線Ｃ１００ｂと、後説する正面側糊代部３５０ｃと棚受け部３３４ｃとの境界位置の折れ線Ｃ１００ｃとに、陳列棚５の組み立て状態で正対する位置（つまり、折れ線Ｃ８０は、折れ線Ｃ１００ａ、Ｃ１００ｂ、Ｃ１００ｃと左右方向において同じ位置となる位置）に接着されており、これにより、陳列棚５の組立て状態において、棚受け部３３４ａと棚受け部３３４ｂと棚受け部３３４ｃは、右側面部１２０及び左側面部２１０と平行（略平行としてもよい）で、背面部１１０と正面部２３２ａと正面部２３２ｂと正面部２３２ｃに対して直角（略直角としてもよい）をなす。
【０１１７】
なお、背面側糊代部３４０は、陳列棚５の組立て状態において、支持体３３０に対して右側面側に折曲した状態（つまり、正面側構成部２３０と左側面部２１０とが略平行で、右側面部１２０と背面部１１０が略平行な状態）となるように接着されており、これにより、陳列棚５を図９に示すように折り畳んだ状態とする際に、支持体３３０と背面側糊代部３４０とが略面一の状態となるので、陳列棚５が折り畳みやすくなっている。つまり、陳列棚５の組立て状態において、背面側糊代部３２０、３４０は、支持体３１０、３３０に対して左右方向における同じ側に折曲した状態となっているので、陳列棚５を折り畳む際に、どちらか一方の側において、背面側糊代部と棚受け部間の角度が小さくなって折り畳みにくくなることがない。
【０１１８】
また、正面側糊代部３５０ａは、左側面側の棚受け部３１４ａの正面側の辺部から折れ線Ｃ９０ａを介して連設され、長方形状（略長方形状としてもよい）の板状を呈しており、正面側糊代部３５０ａの右側面側の辺部から折れ線Ｃ１００ａを介して棚受け部３３４ａが連設されている。つまり、正面側糊代部３５０ａは、棚受け部３１４ａの正面側の辺部と棚受け部３３４ａの正面側の辺部との間に架設されている。正面側糊代部３５０ａの上下方向の長さは、正面部２３２ａの上下方向の長さ以下に（具体的には、正面部２３２ａの上下方向の長さよりも若干短く）形成され、正面側糊代部３５０ａの左右方向の長さは、間隙部２４０ａ−１と間隙部２４０ａ−２間の長さ（突状部２３８ａ−１の左端から突状部２３８ａ−４の右端までの長さ）と同一（略同一としてもよい）に形成されている。正面側糊代部３５０ａは、正面部２３２ａの内側面に接着されていて、正面側糊代部３５０ａの上辺は、正面部２３２ａの上辺に沿って該正面部２３２ａの上辺と平行に形成され、正面部２３２ａの上辺と上下方向に略一致しているが、正面部２３２ａの上辺よりも若干下側に形成されている。つまり、棚構成部２３４ａを組み立てた際に、棚受け部３１４ａ、３３４ａの上辺が棚本体部２３６ａに沿った状態で、棚本体部２３６ａが該上辺に接するので、正面側糊代部３５０ａの上辺は正面部２３２ａの上辺と上下方向に略一致しているが、棚本体部２３６ａの厚みを考慮して、正面部２３２ａの上辺よりも若干下側に形成されている。正面側糊代部３５０ａの下辺は、正面部２３２ａの下辺よりも上方に位置しており、正面視において、正面側糊代部３５０ａが露出することがない。
【０１１９】
正面側糊代部３５０ｂは、左側面側の棚受け部３１４ｂの正面側の辺部から折れ線Ｃ９０ｂを介して連設され、長方形状（略長方形状としてもよい）の板状を呈しており、正面側糊代部３５０ｂの右側面側の辺部から折れ線Ｃ１００ｂを介して棚受け部３３４ｂが連設されている。つまり、正面側糊代部３５０ｂは、棚受け部３１４ｂの正面側の辺部と棚受け部３３４ｂの正面側の辺部との間に架設されている。正面側糊代部３５０ｂの上下方向の長さは、正面部２３２ｂの上下方向の長さ以下に（具体的には、正面部２３２ｂの上下方向の長さよりも若干短く）形成され、正面側糊代部３５０ｂの左右方向の長さは、間隙部２４０ｂ−１と間隙部２４０ｂ−２間の長さ（突状部２３８ｂ−１の左端から突状部２３８ｂ−４の右端までの長さ）と同一（略同一としてもよい）に形成されている。正面側糊代部３５０ｂは、正面部２３２ｂの内側面に接着されていて、正面側糊代部３５０ｂの上辺は、正面部２３２ｂの上辺に沿って該正面部２３２ｂの上辺と平行に形成され、正面部２３２ｂの上辺と上下方向に略一致しているが、正面部２３２ｂの上辺よりも若干下側に形成されている。つまり、棚構成部２３４ｂを組み立てた際に、棚受け部３１４ｂ、３３４ｂの上辺が棚本体部２３６ｂに沿った状態で、棚本体部２３６ｂが該上辺に接するので、正面側糊代部３５０ｂの上辺は正面部２３２ｂの上辺と上下方向に略一致しているが、棚本体部２３６ｂの厚みを考慮して、正面部２３２ｂの上辺よりも若干下側に形成されている。正面側糊代部３５０ｂの下辺は、正面部２３２ｂの下辺よりも上方に位置しており、正面視において、正面側糊代部３５０ｂが露出することがない。
【０１２０】
正面側糊代部３５０ｃは、左側面側の棚受け部３１４ｃの正面側の辺部から折れ線Ｃ９０ｃを介して連設され、長方形状（略長方形状としてもよい）の板状を呈しており、正面側糊代部３５０ｃの右側面側の辺部から折れ線Ｃ１００ｃを介して棚受け部３３４ｃが連設されている。つまり、正面側糊代部３５０ｃは、棚受け部３１４ｃの正面側の辺部と棚受け部３３４ｃの正面側の辺部との間に架設されている。正面側糊代部３５０ｃの上下方向の長さは、正面部２３２ｃの上下方向の長さと略同一に形成され、正面側糊代部３５０ｃの左右方向の長さは、間隙部２４０ｃ−１と間隙部２４０ｃ−２間の長さ（突状部２３８ｃ−１の左端から突状部２３８ｃ−４の右端までの長さ）と同一（略同一としてもよい）に形成されている。正面側糊代部３５０ｃは、正面部２３２ｃの内側面に接着されていて、正面側糊代部３５０ｃの上辺は、正面部２３２ｃの上辺に沿って該正面部２３２ｃの上辺と平行に形成され、正面部２３２ｃの上辺よりも若干下側に形成されている。正面側糊代部３５０ｃの下辺は、正面部２３２ｃの下辺と上下方向において一致している。
【０１２１】
なお、正面側糊代部３５０ｃの下辺は、正面部２３２ｃの下辺と上下方向において一致し、また、棚構成部２３４ｃを組み立てた際に、が棚受け部３１４ｃ、３３４ｃの上辺が棚本体部２３６ｃに沿った状態で、棚本体部２３６ｃが該上辺に接するので、正面側糊代部３５０ｃの上下方向の長さと正面部２３２ｃの上下方向の長さは略同一といえるが、棚本体部２３６ｃの厚みを考慮して正面側糊代部３５０ｃの上辺は正面部２３２ｃの上辺よりも若干下側に形成されているので、実際には、正面側糊代部３５０ｃの上下方向の長さは、正面部２３２ｃの上下方向の長さよりも若干短く形成されている。
【０１２２】
なお、内側構成部３００の展開状態においては、正面側糊代部３５０ｃの下辺と、棚受け部３１４ｃの下辺３１４ｃ−２と、棚受け部３３４ｃの下辺３３４ｃ−２と、棚受け支持部３１２の辺部３１２ａと、棚受け支持部３３２の辺部３３２ａと、背面側糊代部３２０、３４０の下辺とは、同一直線上に形成され、それらの下辺により一直線上に形成されている。
【０１２３】
また、陳列棚５においては、正面部２３２ｃの下辺と右側面部１２０の下辺と左側面部２１０の下辺と背面部１１０の下辺の上下方向の高さ（つまり、陳列棚本体部１０の上下方向の高さ）と、内側構成部３００の下辺（支持体３１０、３３０と正面側糊代部３５０ｃと背面側糊代部３２０、３４０の下辺）の上下方向の高さが一致（略一致としてもよい）して形成されており、組立て状態の陳列棚５を設置面に設置した際には、内側構成部３００の下辺が設置面に接し、棚受け支持部３１２、３３２の下辺（すなわち辺部３１２ａ、３３２ａ）や棚受け部３１４ｃ、３３４ｃの下辺３１４ｃ−２、３３４ｃ−２や正面側糊代部３５０ｃの下辺や背面側糊代部３２０、３４０の下辺も設置面に接することになる。
【０１２４】
次に、陳列棚５の使用状態について説明する。陳列棚５は、搬送又は収納される際には、図９に示すように、折り畳むことができる。つまり、正面側構成部２３０の全体が１枚の板状を呈している状態（正面部２３２ａ、２３２ｂ、２３２ｃと、棚構成部２３４ａ、２３４ｂ、２３４ｃと、フラップ２４２ａ、２４２ｂ、２４２ｃとが面一な状態）で、正面側構成部２３０と左側面部２１０間の角度を小さくするとともに、右側面部１２０と背面部１１０間の角度を小さくすることにより、折り畳んだ状態とすることができる。
【０１２５】
この際、支持体３１０、３３０の右側面側が正面側構成部２３０及び右側面部１２０の内側面に重ね合わせられ、支持体３１０、３３０の左側面側が左側面部２１０及び背面部１１０の内側面に重ね合わせられて折り畳まれている。
【０１２６】
陳列棚５を組み立てる際には、以下の方法により陳列棚５の組立てを行なう。なお、組立て状態の陳列棚５を折り畳んだ状態にするには、以下の方法と逆の工程を行なう。
【０１２７】
まず、正面側構成部２３０と左側面部２１０と右側面部１２０と背面部１１０における隣接する各部同士の角度を直角とし、正面側構成部２３０と左側面部２１０と右側面部１２０と背面部１１０とから構成された胴体部を図１０に示すように四角筒状とする。
【０１２８】
この際、支持体３１０、３３０は、該胴体部を四角筒状とすることにより、胴体部の内側の前後方向に配置され、背面部１１０及び正面側構成部２３０に対して直角（略直角としてもよい）をなし、右側面部１２０及び左側面部２１０と平行（略平行としてもよい）になる。これにより、陳列棚本体部１０が組み立てられ、陳列棚本体部１０を組み立てた状態では、支持体３１０と支持体３３０のそれぞれが、正面部２３２ａ、２３２ｂ、２３２ｃと背面部１１０の間に前後方向に設けられ、支持体３１０と支持体３３０とが左右方向に間隔を介して互いに平行（略平行としてもよい）に設けられる。
【０１２９】
次に、棚構成部２３４ａ、２３４ｂ、２３４ｃを組み立てた状態とする。棚構成部２３４ａ、２３４ｂ、２３４ｃの組立ての方法はいずれも同様であるので、棚構成部２３４ａの場合を例にとると、棚構成部２３４ａを正面部２３２ａに対して折れ線Ｃ５０ａを介して内側に（つまり、背面側から底面側に）回動させると、間隙部２４０ａ−１に棚受け支持部３１２の辺部３１２ｄが入り込むとともに、間隙部２４０ａ−２に棚受け支持部３３２の辺部３３２ｄが入り込み、棚受け支持部３１２、３３２（特に、棚受け支持部３１２における辺部３１２ｄの下端に沿った領域と棚受け支持部３３２における辺部３３２ｄの下端に沿った領域）が間隙部２４０ａ−１、２４０ａ−２に嵌合して、棚本体部２３６ａが棚受け部３１４ａ、３３４ａの上辺３１４ａ−１、３３４ａ−１に接することにより（上辺３１４ａ−１、３３４ａ−１が棚本体部２３６ａ（特に、棚本体部２３６ａの下面）沿った状態で、棚本体部２３６ａが上辺３１４ａ−１、３３４ａ−１に接し、棚本体部２３６ａの下面と上辺３１４ａ−１、３３４ａ−１とは平行となる）、図１１に示すように、棚構成部２３４ａが組み立てられた状態となる。棚構成部２３４ａの組立て状態では、棚本体部２３６ａのフラップ２４２ａ側の辺部で間隙部２４０ａ−１、２４０ａ−２の奥側の辺部（切込みＪ１３により形成された辺部）は、辺部３１２ｄ、３３２ｄに当接している。
【０１３０】
なお、フラップ２４２ａは、フラップ２４２ａの先端が辺部３１２ｄ、３３２ｄに当接すると、棚本体部２３６ａに対して上側に折曲した状態になり、棚構成部２３４ａの組み立て状態では、フラップ２４２ａは、辺部３１２ｆと辺部３３２ｆに当接し、フラップ２４２ａの辺部３１２ｆ、３３２ｆ側の面は、辺部３１２ｄ、３３２ｄに沿った状態となり、辺部３１２ｄ、３３２ｄは、フラップ２４２ａと平行となる。
【０１３１】
棚構成部２３４ｂについても棚構成部２３４ａと同様に組み立てる。すなわち、棚構成部２３４ｂを正面部２３２ｂに対して折れ線Ｃ５０ｂを介して内側に回動させると、間隙部２４０ｂ−１に棚受け支持部３１２の辺部３１２ｆが入り込むとともに、間隙部２４０ｂ−２に棚受け支持部３３２の辺部３３２ｆが入り込み、棚受け支持部３１２、３３２（特に、棚受け支持部３１２における辺部３１２ｆの下端に沿った領域と棚受け支持部３３２における辺部３３２ｆの下端に沿った領域）が間隙部２４０ｂ−１、２４０ｂ−２に嵌合して、棚本体部２３６ｂが棚受け部３１４ｂ、３３４ｂの上辺３１４ｂ−１、３３４ｂ−１に接することにより（上辺３１４ｂ−１、３３４ｂ−１が棚本体部２３６ｂ（特に、棚本体部２３６ｂの下面）沿った状態で、棚本体部２３６ｂが上辺３１４ｂ−１、３３４ｂ−１に接し、棚本体部２３６ｂの下面と上辺３１４ｂ−１、３３４ｂ−１とは平行となる）、棚構成部２３４ｂが組み立てられた状態となる。棚構成部２３４ｂの組立て状態では、棚本体部２３６ｂのフラップ２４２ｂ側の辺部で間隙部２４０ｂ−１、２４０ｂ−２の奥側の辺部（切込みＪ２３により形成された辺部）は、辺部３１２ｆ、３３２ｆに当接している。
【０１３２】
なお、フラップ２４２ｂは、フラップ２４２ｂの先端が辺部３１２ｆ、３３２ｆに当接すると、棚本体部２３６ｂに対して上側に折曲した状態になり、棚構成部２３４ｂの組み立て状態では、フラップ２４２ｂは、辺部３１２ｆと辺部３３２ｆに当接し、フラップ２４２ｂの辺部３１２ｆ、３３２ｆ側の面は、辺部３１２ｆ、３３２ｆに沿った状態となり、辺部３１２ｄ、３３２ｄは、フラップ２４２ｂと平行となる。
【０１３３】
棚構成部２３４ｃについても棚構成部２３４ａと同様に組み立てる。すなわち、棚構成部２３４ｃを正面部２３２ｃに対して折れ線Ｃ５０ｃを介して内側に回動させると、間隙部２４０ｃ−１に棚受け支持部３１２の辺部３１２ｈが入り込むとともに、間隙部２４０ｃ−２に棚受け支持部３３２の辺部３３２ｈが入り込み、棚受け支持部３１２、３３２（特に、棚受け支持部３１２における辺部３１２ｈの下端に沿った領域と棚受け支持部３３２における辺部３３２ｈの下端に沿った領域）が間隙部２４０ｃ−１、２４０ｃ−２に嵌合して、棚本体部２３６ｃが棚受け部３１４ｃ、３３４ｃの上辺３１４ｃ−１、３３４ｃ−１に接することにより（上辺３１４ｃ−１、３３４ｃ−１が棚本体部２３６ｃ（特に、棚本体部２３６ｃの下面）沿った状態で、棚本体部２３６ｃが上辺３１４ｃ−１、３３４ｃ−１に接し、棚本体部２３６ｃの下面と上辺３１４ｃ−１、３３４ｃ−１とは平行となる）、棚構成部２３４ｃが組み立てられた状態となる。棚構成部２３４ｃの組立て状態では、棚本体部２３６ｃのフラップ２４２ｃ側の辺部で間隙部２４０ｃ−１、２４０ｃ−２の奥側の辺部（切込みＪ３３により形成された辺部）は、辺部３１２ｈ、３３２ｈに当接している。
【０１３４】
なお、フラップ２４２ｃは、フラップ２４２ｃの先端が辺部３１２ｈ、３３２ｈに当接すると、棚本体部２３６ｂに対して上側に折曲した状態になり、棚構成部２３４ｃの組み立て状態では、フラップ２４２ｃは、辺部３１２ｈと辺部３３２ｈに当接し、フラップ２４２ｃの辺部３１２ｈ、３３２ｈ側の面は、辺部３１２ｈ、３３２ｈに沿った状態となり、辺部３１２ｈ、３３２ｈは、フラップ２４２ｃと平行となる。
【０１３５】
以上のようにして、陳列棚５が組み立てられるので、陳列棚５の組立て状態では、棚本体部２３６ａ、２３６ｂ、２３６ｃの上に被陳列物を載せて被陳列物を陳列する。棚本体部２３６ａ、２３６ｂ、２３６ｃは正面側から背面側に向けて下方となるように傾斜しているので、被陳列物を棚本体部２３６ａ、２３６ｂ、２３６ｃに載せた際には、奥側に載せた被陳列物はフラップ２４２ａ、２４２ｂ、２４２ｃにも接することになる。
【０１３６】
なお、角度α１ａ、α２ａ、α１ｂ、α２ｂ、α１ｃ、α２ｃが直角であるので、フラップ２４２ａは棚本体部２３６ａに対して直角となり、フラップ２４２ｂは棚本体部２３６ｂに対して直角となり、フラップ２４２ｃは棚本体部２３６ｃに対して直角となり、よって、直方体や立方体の被陳列物を陳列する際に、棚本体部２３６ａ、２３６ｂ、２３６ｃの最奥部に陳列した被陳列物の背面がフラップ２４２ａ、２４２ｂ、２４２ｃの面に沿って接触するので、被陳列物の陳列に支障がない。
【０１３７】
また、陳列棚５の組立て状態では、正面部２３２ｃと右側面部１２０と左側面部２１０と背面部１１０の下辺が陳列棚５の設置面に接するとともに、内側構成部３００の下辺（支持体３１０、３３０と正面側糊代部３５０ｃと背面側糊代部３２０、３４０の下辺）が陳列棚５の設置面に接することになる。
【０１３８】
本実施例の陳列棚５においては、陳列棚５の組立て状態において、被陳列物を棚本体部２３６ａ、２３６ｂ、２３６ｃに載せた際には、被陳列物の重量は支持部３１０、３３０（特に、棚受け部３１４ａ、３１４ｂ、３１４ｃ、３３４ａ、３３４ｂ、３３４ｃ）にかかるが、棚受け部３１４ａ、３１４ｂ、３１４ｃから連設された棚受け支持部３１２と、棚受け部３３４ａ、３３４ｂ、３３４ｃから連設された棚受け支持部３３２が設けられているので、重量物を乗せても（特に、棚本体部２３６ａや棚本体部２３６ｂに重量物を乗せても）棚の強度を保つことができる。
【０１３９】
すなわち、被陳列物を棚本体部２３６ａに載せた場合には、棚本体部２３６ａを介して棚受け部３１４ａ、３３４ａに重量がかかり、棚受け部３１４ａ、３３４ａにかかる重量は棚受け支持部３１２、３３２にかかり、また、フラップ２４２ａにかかる重量は棚受け支持部３１２、３３２（特に、辺部３１２ｄ、３３２ｄの領域）にかかるが、その際、棚受け支持部３１２と棚受け支持部３３２がそれぞれ一体に形成されているので、重量物を載せても棚の強度を確保することができる。特に、棚受け支持部３１２の下辺である辺部３１２ａや棚受け支持部３３２の下辺である辺部３３２ａの上下方向の高さは、正面部２３２ｃの下辺や右側面部１２０の下辺や背面部１１０の下辺や左側面部２１０の下辺の上下方向の高さと一致しており、陳列棚５を設置面に設置した際には、棚受け支持部３１２、３３２の辺部３１２ａ、３３２ａも陳列棚５の設置面に接するので、フラップ２４２ａを介して棚受け支持部３１２、３３２に掛かる重量のみならず、棚受け部３１４ａ、３３４ａにかかる重量も背面側では棚受け支持部３１２、３３２で支えることができ、重量物を載せても棚の強度を確保することができる（つまり、最下段よりも上側の棚の強度を保つことができる）。特に、棚本体部２３６ａは正面側から背面側に向けて下方に傾斜しているので、棚受け部３１４ａ、３３４ａの正面側よりも背面側に重量がかかるが、棚受け部３１４ａ、３３４ａの背面側には棚受け支持部３１２、３３２が設けられているので、重量物を載せても棚の強度を確保することができる。
【０１４０】
また、被陳列物を棚本体部２３６ｂに載せた場合には、同様に、棚本体部２３６ｂを介して棚受け部３１４ｂ、３３４ｂに重量がかかり、棚受け部３１４ｂ、３３４ｂにかかる重量は棚受け支持部３１２、３３２にかかり、また、フラップ２４２ｂにかかる重量は棚受け支持部３１２、３３２（特に、辺部３１２ｆ、３３２ｆの領域）にかかるが、その際、棚受け支持部３１２と棚受け支持部３３２がそれぞれ一体に形成されているので、重量物を載せても棚の強度を確保することができる。特に、棚受け支持部３１２の辺部３１２ａや棚受け支持部３３２の辺部３３２ａの上下方向の高さは、正面部２３２ｃの下辺や右側面部１２０の下辺や背面部１１０の下辺や左側面部２１０の下辺の上下方向の高さと一致しており、陳列棚５を設置面に設置した際には、棚受け支持部３１２、３３２の辺部３１２ａ、３３２ａも陳列棚５の設置面に接するので、フラップ２４２ｂを介して棚受け支持部３１２、３３２に掛かる重量のみならず、棚受け部３１４ｂ、３３４ｂにかかる重量も背面側では棚受け支持部３１２、３３２で支えることができ、重量物を載せても棚の強度を確保することができる（つまり、最下段よりも上側の棚の強度を保つことができる）。特に、棚本体部２３６ｂは正面側から背面側に向けて下方に傾斜しているので、棚受け部３１４ｂ、３３４ｂの正面側よりも背面側に重量がかかるが、棚受け部３１４ｂ、３３４ｂの背面側には棚受け支持部３１２、３３２が設けられているので、重量物を載せても棚の強度を確保することができる。
【０１４１】
また、陳列棚５においては、棚受け部３１４ａ、３１４ｂ、３１４ｃ、３３４ａ、３３４ｂ、３３４ｃが、右側面部１２０及び左側面部２１０と平行（略平行としてもよい）に前後方向に設けられているので、陳列棚５の横幅（左右方向の長さ）をより長く変更する場合でも、棚受け部３１４ａ、３１４ｂ、３１４ｃ、３３４ａ、３３４ｂ、３３４ｃの前後方向の長さを変更する必要がないことから、棚受け部３１４ａ、３１４ｂ、３１４ｃ、３３４ａ、３３４ｂ、３３４ｃの曲げ強度が低下せず、陳列棚５の横幅を長くしても、横幅が短い陳列棚５の場合と同程度の強度を確保することができ、重量物を乗せても棚の強度を保つことができる。
【０１４２】
また、陳列棚５の組立てに際して、背面部１１０と、右側面部１２０と、左側面部２１０と、正面側構成部２３０とを四角筒状に組み立てると、それに連動して、右側面部１２０と左側面部２１０との間に、支持体３１０、３３０が前後方向に、つまり、右側面部１２０及び左側面部２１０と平行（略平行としてもよい）に配設され、その後、正面部２３２ａ、２３２ｂ、２３２ｃの上辺に沿った折れ線Ｃ５０ａ、Ｃ５０ｂ、Ｃ５０ｃを介して、棚構成部２３４ａ、２３４ｂ、２３４ｃ（具体的には、棚本体部２３６ａ、２３６ｂ、２３６ｃ）を背面側に折り曲げるだけで、棚本体部２３６ａ、２３６ｂ、２３６ｃを棚受け部３１４ａ、３１４ｂ、３１４ｃ、３３４ａ、３３４ｂ、３３４ｃ上に設置することができ、陳列棚全体の組み立てがとても簡易である。
【０１４３】
また、背面部１１０の内側面から棚受け支持部３１２、３３２が連設され、棚受け支持部３１２、３３２の正面側から棚受け部３１４ａ、３１４ｂ、３１４ｃ、３３４ａ、３３４ｂ、３３４ｃが連設され、また、棚本体部２３６ａ、２３６ｂ、２３６ｃの背面側の辺部から複数の突状部２３８ａ−１、２３８ａ−２、２３８ａ−３、２３８ａ−４、２３８ｂ−１、２３８ｂ−２、２３８ｂ−３、２３８ｂ−４、２３８ｃ−１、２３８ｃ−２、２３８ｃ−３、２３８ｃ−４が連設され、近接する突状部間には、間隙部２４０ａ−１、２４０ａ−２、２４０ｂ−１、２４０ｂ−２、２４０ｃ−１、２４０ｃ−２が設けられているので、背面側に折り曲げられた棚本体部２３６ａ、２３６ｂ、２３６ｃの間隙部２４０ａ−１、２４０ａ−２、２４０ｂ−１、２４０ｂ−２、２４０ｃ−１、２４０ｃ−２に、棚受け支持部３１２、３３２の棚受け部３１４ａ、３１４ｂ、３１４ｃ、３３４ａ、３３４ｂ、３３４ｃの直上部位を差し込むことにより、棚本体部２３６ａ、２３６ｂ、２３６ｃの背面側を棚受け支持部３１２、３３２に係止し、棚本体部２３６ａ、２３６ｂ、２３６ｃの背面側の浮き上がりを防止することができる。
【０１４４】
また、フラップ２４２ａ、２４２ｂ、２４２ｃが棚受け支持部３１２、３３２の辺部３１２ｄ、３１２ｆ、３１２ｈ、３３２ｄ、３３２ｆ、３３２ｈを押さえた状態となる（つまり、各フラップ２４２ａ、２４２ｂ、２４２ｃが連設された棚本体部に対して面一となるように復帰しようとするのでフラップが棚受け支持部３１２、３３２の辺部を押さえることになる）ので、その点でも、棚本体部２３６ａ、２３６ｂ、２３６ｃの背面側の浮き上がりを防止することができる。
【０１４５】
また、フラップ２４２ａ、２４２ｂ、２４２ｃが、棚本体部２３６ａ、２３６ｂ、２３６ｃに対して直角に立ち上がった状態となるので、被陳列物が棚構成部２３４ａ、２３４ｂ、２３４ｃと背面部１１０間の隙間から落下することがない。
【０１４６】
また、フラップ２４２ａ、２４２ｂ、２４２ｃが設けられていることにより、被陳列物の陳列スペースの背面側に凹凸が形成されない（フラップ２４２ａ、２４２ｂ、２４２ｃがないと、陳列スペースの背面側は棚受け支持部３１２、３３２により凹凸が形成されてしまう）ので、被陳列物の陳列に支障をきたすことがない。
【０１４７】
また、棚本体部２３６ａ、２３６ｂ、２３６ｃの左右方向への位置ずれが、右側面部１２０及び左側面部２１０だけでななく、棚受け支持部３１２、３３２と間隙部２４０ａ−１、２４０ａ−２、２４０ｂ−１、２４０ｂ−２、２４０ｃ−１、２４０ｃ−２との係合によっても防止されるため、陳列棚５の全体の剛性がさらに高くなる。
【０１４８】
また、棚受け部３１４ａ、３１４ｂ、３１４ｃ、３３４ａ、３３４ｂ、３３４ｃの上辺が、棚受け支持部３１２、３３２からの距離が長くなるに従い上方に向かう傾斜状に形成され、棚受け部３１４ａ、３１４ｂ、３１４ｃ、３３４ａ、３３４ｂ、３３４ｃの上辺の正面側の端部が、正面部２３２ａ、２３２ｂ、２３２ｃの上辺に接しているので、棚受け部３１４ａ、３１４ｂ、３１４ｃ、３３４ａ、３３４ｂ、３３４ｃ上に設置された棚本体部２３６ａ、２３６ｂ、２３６ｃは、背面側に行くに従い下方に向かう傾斜状となり、この棚本体部２３６ａ、２３６ｂ、２３６ｃの上に被陳列物を載置すると、被陳列物は後傾し、被陳列物の正面部は前方斜め上方に向くため、被陳列物の正面部と、被陳列物を見る者の顔面とが正対し易く、視覚的訴求効の向上を図ることができる。
【０１４９】
また、陳列棚本体部１０を２つのブランク（第１構成部１００と第２構成部２００）により構成するので、陳列棚本体部１０を構成するブランクを製造するためのシート状の段ボール材として、大きな段ボール材を用意する必要がない。
【０１５０】
なお、上記の構成に対して、左右対称の構成としてもよく、その場合には、第１構成部１００と第２構成部２００は左右線対称の構成となり、糊代部２２０は背面部１１０の右側面側に接着され、背面側糊代部３２０、３４０は、陳列棚５の組立て状態において、支持体３１０、３３０に対して左側面側に折曲した状態となるように接着される。
【０１５１】
また、上記実施例では、第１構成部１００と、第２構成部２００とが別体であるとして説明したが、第１構成部１００と、第２構成部２００とが１枚のブランクから一体的に形成されたものであってもよく、その場合の糊代部の形成位置については、背面部１１０の右側面側の辺部、右側面部１２０の背面側の辺部、右側面部１２０の正面側の辺部、正面部２３２ａと正面部２３２ｂと正面部２３２ｃの右側面側の辺部、正面部２３２ａと正面部２３２ｂと正面部２３２ｃの左側面側の辺部、左側面部２１０の正面側の辺部、左側面部２１０の背面側の辺部、背面部１１０の左側面側の辺部のうちいずれの位置であってもよい。
【０１５２】
また、上記の説明では、内側構成部３００において、正面側糊代部３５０ａから棚受け部３１４ａと棚受け部３３４ａが連設され、正面側糊代部３５０ｂから棚受け部３１４ｂと棚受け部３３４ｂが連設され、正面側糊代部３５０ｃから棚受け部３１４ｃと棚受け部３３４ｃが連設されるとし、支持体３１０における棚受け部と支持体３３０における対応する棚受け部とは同じ正面側糊代部から連設されるとしたが、支持体３１０における棚受け部と支持体３３０における対応する棚受け部とが別の正面側糊代部から連設された構成としてもよい。
【０１５３】
つまり、図１２に示すように、内側構成部（第１内側構成部）３００−１と内側構成部（第２内側構成部）３００−２とを設け、棚受け部３１４ａから連設される正面側糊代部（第１正面側糊代部）３５０ａ−１と、棚受け部３３４ａから連設される正面側糊代部（第２正面側糊代部）３５０ａ−２とは別の構成とし、棚受け部３１４ｂから連設される正面側糊代部３５０ｂ−１と、棚受け部３３４ｂから連設される正面側糊代部３５０ｂ−２とは別の構成とし、棚受け部３１４ｃから連設される正面側糊代部３５０ｃ−１と、棚受け部３３４ｃから連設される正面側糊代部３５０ｃ−２とは別の構成とする。
【０１５４】
この場合でも、陳列棚本体部１０を組み立てた状態では、支持体３１０と支持体３３０のそれぞれが、正面部２３２ａ、２３２ｂ、２３２ｃと背面部１１０の間に前後方向に設けられ、支持体３１０と支持体３３０とが左右方向に間隔を介して互いに平行（略平行としてもよい）に設けられる。また、内側構成部３００−１の下辺や内側構成部３００−２の下辺の上下方向の高さと、陳列棚本体部１０の下端の上下方向の高さとは一致（略一致としてもよい）し、組立て状態の陳列棚を設置面に設置した際には、内側構成部３００−１、３００−２の下辺が設置面に接する。
【０１５５】
なお、その場合には、棚受け部３３４ａ、３３４ｂ、３３４ｃから連設される正面側糊代部３５０ａ−１、３５０ｂ−１、３５０ｃ−１を棚受け部３３４ａ、３３４ｂ、３３４ｃの正面側の辺部から左側面側に折曲した状態となるように正面部２３２ａ、２３２ｂ、２３２ｃに接着し、棚受け部３１４ａ、３１４ｂ、３１４ｃから連設される正面側糊代部３５０ａ−２、３５０ｂ−２、３５０ｃ−２を棚受け部３１４ａ、３１４ｂ、３１４ｃの正面側の辺部から左側面側に折曲した状態となるように正面部２３２ａ、２３２ｂ、２３２ｃに接着させることにより、陳列棚５を図９に示すように折り畳んだ状態とする際に、支持体３１０と正面側糊代部とが略面一の状態となり、支持体３３０と正面側糊代部とが略面一の状態となるので、陳列棚５が折り畳みやすくなる。
【０１５６】
なお、内側構成部を図１２に示す構成とするよりは、図８に示す構成とした方が、内側構成部を１枚のブランクにより構成でき、また、正面側糊代部の接着に際しても、少ない工程で済むので、低コストで製造することができる。
【０１５７】
また、上記の説明において、陳列棚５には、３つの棚構成部（２３４ａ、２３４ｂ、２３４ｃ）が設けられるとしたが、棚構成部の数はこれには限られず、棚構成部の数は、２つでもよく、また、４つ以上でもよい。つまり、正面部の数は、複数であればよい。
【０１５８】
なお、上記の説明における「棚受け部」は「棚支持部」としてもよく、「棚受け支持部」は「リブ」としてもよい。
【符号の説明】
【０１５９】
５  陳列棚
１０  陳列棚本体部
１００  第１構成部
１１０  背面部
１２０  右側面部
１２２ａ、１２２ｂ、１２２ｃ  切欠部
１３０ａ、１３０ｂ、１３０ｃ  糊代部
２００  第２構成部
２１０  左側面部
２２０  糊代部
２３０  正面側構成部
２１２ａ、２１２ｂ、２１２ｃ  切欠部
２３２ａ、２３２ｂ、２３２ｃ  正面部
２３４ａ、２３４ｂ、２３４ｃ  棚構成部
２３６ａ、２３６ｂ、２３６ｃ  棚本体部
２３８ａ−１、２３８ａ−２、２３８ａ−３、２３８ａ−４  突状部
２３８ｂ−１、２３８ｂ−２、２３８ｂ−３、２３８ｂ−４  突状部
２３８ｃ−１、２３８ｃ−２、２３８ｃ−３、２３８ｃ−４  突状部
２４０ａ−１、２４０ａ−２  間隙部
２４０ｂ−１、２４０ｂ−２  間隙部
２４０ｃ−１、２４０ｃ−２  間隙部
２４２ａ、２４２ｂ、２４２ｃ  フラップ
３００、３００−１、３００−２  内側構成部
３１０、３３０  支持体
３１２、３３２  棚受け支持部
３１４ａ、３１４ｂ、３１４ｃ  棚受け部
３３４ａ、３３４ｂ、３３４ｃ  棚受け部
３２０、３４０  背面側糊代部
３５０ａ、３５０ｂ、３５０ｃ  正面側糊代部
Ｃ１０、Ｃ２０ａ、Ｃ２０ｂ、Ｃ２０ｃ  折れ線
Ｃ３０、Ｃ４０ａ、Ｃ４０ｂ、Ｃ４０ｃ  折れ線
Ｃ５０ａ、Ｃ５０ｂ、Ｃ５０ｃ  折れ線
Ｃ６０ａ、Ｃ６０ｂ、Ｃ６０ｃ  折れ線
Ｃ７０、Ｃ８０  折れ線
Ｃ９０ａ、Ｃ９０ｂ、Ｃ９０ｃ、Ｃ１００ａ、Ｃ１００ｂ、Ｃ１００ｃ  折れ線
【図１】
0005998189.tif 000002
【図２】
0005998189.tif 000003
【図３】
0005998189.tif 000004
【図４】
0005998189.tif 000005
【図５】
0005998189.tif 000006
【図６】
0005998189.tif 000007
【図７】
0005998189.tif 000008
【図８】
0005998189.tif 000009
【図９】
0005998189.tif 000010
【図１０】
0005998189.tif 000011
【図１１】
0005998189.tif 000012
【図１２】
0005998189.tif 000013